(57)【特許請求の範囲】
【請求項１】
フォトリソグラフィマスクの複数の誤差を補正する方法であって、
ａ．フォトリソグラフィマスクの結像変換の第１のパラメータと、該フォトリソグラフィマスク上に局所的に向けられるレーザビームの第２のパラメータとを最適化する段階と、
ｂ．最適化された第１のパラメータを用いて結像変換を適用し、かつ最適化された第２のパラメータを用いて前記レーザビームを前記フォトリソグラフィマスク上に局所的に向けることにより、複数の誤差を補正する段階と、
を含み、
ｃ．前記第１及び前記第２のパラメータは、共同の最適化工程において同時に最適化され、
前記共同の最適化工程は、
ｄ．誤差データ、第１の結像変換パラメータ、及び第２のレーザビームパラメータを含む目的汎関数を設定する段階と、
ｅ．前記第１の結像変換パラメータと前記第２のレーザビームパラメータとを同時に変化させることによって前記目的汎関数を最小にする段階と、
を含む、
ことを特徴とする方法。
【請求項２】
フォトリソグラフィマスクの複数の誤差を補正する方法であって、
ａ．フォトリソグラフィマスクの結像変換の第１のパラメータと、該フォトリソグラフィマスク上に局所的に向けられるレーザビームの第２のパラメータとを最適化する段階と、
ｂ．最適化された第１のパラメータを用いて結像変換を適用し、かつ最適化された第２のパラメータを用いて前記レーザビームを前記フォトリソグラフィマスク上に局所的に向けることにより、複数の誤差を補正する段階と、
を含み、
ｃ．前記第１及び前記第２のパラメータは、共同の最適化工程において同時に最適化され、
ｄ．前記目的汎関数は、少なくとも１つの第１のフォトリソグラフィマスクと少なくとも１つの第２のフォトリソグラフィマスクの間の重ね合わせ誤差を最小にするために使用される、
ことを特徴とする方法。
【請求項３】
ラグランジュの変分原理が、前記目的汎関数を設定するのに使用され、及び／又は該目的汎関数は、前記第１及び前記第２のパラメータによって前記フォトリソグラフィマスク内に導入されるポテンシャルエネルギ分布を最小にすることを特徴とする請求項１又は２に記載の方法。
【請求項４】
前記結像変換は、線形結像変換を含み、及び／又は該線形結像変換は、フォトリソグラフィマスクシフトに関する２つのパラメータ、フォトリソグラフィマスクスケーリングに関する２つのパラメータ、及び該フォトリソグラフィマスクの一般化された回転に関する２つのパラメータを含むことを特徴とする請求項１から請求項３のいずれか１項に記載の方法。
【請求項５】
前記第２のレーザビームパラメータは、前記レーザビームのエネルギ、及び／又は開口数、及び／又は焦点サイズ、及び／又はビーム偏光、及び／又は非点収差、及び／又はパルス長、及び／又は繰返し数、及び前記フォトリソグラフィマスクの１つの位置上に向けられるパルスの数、及び／又は該レーザビームが該フォトリソグラフィマスク上に向けられる２つの位置の間の距離を含むことを特徴とする請求項１から請求項４のいずれか１項に記載の方法。
【請求項６】
前記レーザビームは、前記フォトリソグラフィマスクの密度及び／又は光透過率分布を局所的に修正し、及び／又は
前記フォトリソグラフィマスクの局所的に修正される前記密度及び／又は前記光透過率は、該フォトリソグラフィマスクの複数の小さい容積内で不連続に修正され、各小さい容積は、ピクセルと呼ばれる、
ことを特徴とする請求項１から請求項５のいずれか１項に記載の方法。
【請求項７】
前記目的汎関数は、ティホノフ正則化を用いて残留変位の二乗平均として最小にされることを特徴とする請求項１から請求項６のいずれか１項に記載の方法。
【請求項８】
前記目的汎関数は、前記フォトリソグラフィマスクの活性区域及び／又は不活性区域における拘束条件として少なくとも１つの重み付け関数を含み、及び／又は
前記重み付け関数は、前記複数の誤差のうちの位置合わせ誤差と平坦性誤差とを同時に補正するように構成される、
ことを特徴とする請求項１から請求項７のいずれか１項に記載の方法。
【請求項９】
前記複数の誤差は、該複数の誤差の異なるタイプを含み、及び／又は
前記複数の誤差の前記異なるタイプは、位置合わせ誤差、及び／又は光透過率誤差、及び／又は平面性誤差を含む、
ことを特徴とする請求項１から請求項８のいずれか１項に記載の方法。
【請求項１０】
補正されなかった及び／又は前記複数の誤差を補正するために前記フォトリソグラフィマスクの前記基板上に前記レーザビームを局所的に向けて該フォトリソグラフィマスクの該基板の第１の層にピクセルを生成する時に導入された誤差が、該フォトリソグラフィマスクの該基板上に該レーザビームを再度向けて、該フォトリソグラフィマスクの該基板の第２の層にピクセルを生成することによって補正されることを特徴とする請求項１から請求項９のいずれか１項に記載の方法。
【請求項１１】
前記レーザビーム及び／又は前記フォトリソグラフィマスクは、該レーザビームが該フォトリソグラフィマスク上に向けられる期間の一部分にわたって該レーザビームと平行な角度だけ回転されることを特徴とする請求項１から請求項１０のいずれか１項に記載の方法。
【請求項１２】
前記フォトリソグラフィマスク上に前記レーザビームを向ける段階は、該フォトリソグラフィマスクの露光波長でのレーザビームに対する光透過率分布の変動を導入しないことを特徴とする請求項１から請求項１１のいずれか１項に記載の方法。
【請求項１３】
前記フォトリソグラフィマスク上に前記レーザビームを向ける段階は、該フォトリソグラフィマスクの露光波長での該レーザビームに対して該フォトリソグラフィマスクにわたって光透過率分布の所定の変動を付加的に導入することを特徴とする請求項１から請求項１１に記載の方法。
【請求項１４】
前記フォトリソグラフィマスクの前記活性区域における光透過率分布誤差を補正することによって該フォトリソグラフィマスクに新しく導入される誤差を補正するために、前記レーザビームを該フォトリソグラフィマスク上に向ける段階を更に含むことを特徴とする請求項１から請求項１１に記載の方法。
【請求項１５】
前記フォトリソグラフィマスク上に前記レーザビームを向ける段階は、該フォトリソグラフィマスクにわたって光透過率分布誤差を補正する段階が該フォトリソグラフィマスク内に位置合わせ誤差を導入しないように、第２のレーザビームパラメータの少なくとも２つのセットを含むことを特徴とする請求項１から請求項１１に記載の方法。
【請求項１６】
前記パルスエネルギは、０．０５μＪから５μＪであり、前記パルス長は、０．０５ｐｓから１００ｐｓであり、前記繰返し数は、１ｋＨｚから１０ＭＨｚであり、パルス密度は、１０００パルス毎ｍｍ2から１０００００００パルス毎ｍｍ2であり、対物系の前記ＮＡは、０．１から０．９であり、該対物系の倍率が、５×から４０×であることを特徴とする請求項１から請求項１５のいずれか１項に記載の方法。
【請求項１７】
第２のレーザビームパラメータの第１のセットが、０．４５μＪ〜０．５５μＪのパルスエネルギ、５〜１０ｐｓのパルス持続時間、１０ｋＨｚ〜１００ｋＨｚの繰返し数、０．２〜０．４の前記対物系の前記ＮＡ、１０×〜２０×の該対物系の倍率、及び１０００〜１０００００パルス毎ｍｍ2のパルス密度を含み、該第２のレーザビームパラメータの該第１のセットは、０．２７μＪ〜０．３７μＪのパルスエネルギ及び５０００〜５０００００パルス毎ｍｍ2のパルス密度を有することを特徴とする請求項１５に記載の方法。
【請求項１８】
前記フォトリソグラフィマスク上に前記レーザビームを向ける段階は、第２のレーザビームパラメータの少なくとも３つのセット、すなわち、異なるパルスエネルギを有する該レーザビームを前記活性区域上に向けるための第１のセット及び第２のセット、及び該レーザビームを該フォトリソグラフィマスクの前記不活性区域上に向けるための第３のセットを含むことを特徴とする請求項１から請求項１１に記載の方法。
【請求項１９】
フォトリソグラフィマスクの複数の誤差を補正するための装置であって、
ａ．フォトリソグラフィマスクの結像変換の第１のパラメータと、該フォトリソグラフィマスク上に局所的に向けられるレーザビームの第２のパラメータとを同時に最適化するように作動可能な少なくとも１つのコンピュータ手段と、
ｂ．最適化された第２のレーザビームパラメータによる光パルスの前記レーザビームを生成するための少なくとも１つのレーザ源と、
ｃ．最適化された第１の結像パラメータに従って結像変換を実施するための少なくとも１つの走査手段と、
を含み、
前記第１のパラメータ及び第２のパラメータを同時に最適化することは、
ｄ．誤差データ、第１の結像変換パラメータ、及び第２のレーザビームパラメータを含む目的汎関数を設定することと、
ｅ．前記第１の結像変換パラメータと前記第２のレーザビームパラメータとを同時に変化させることによって前記目的汎関数を最小にすることと、
を含む、
ことを特徴とする装置。
【請求項２０】
フォトリソグラフィマスクの複数の誤差を補正するための装置であって、
ａ．フォトリソグラフィマスクの結像変換の第１のパラメータと、該フォトリソグラフィマスク上に局所的に向けられるレーザビームの第２のパラメータとを同時に最適化するように作動可能な少なくとも１つのコンピュータ手段と、
ｂ．最適化された第２のレーザビームパラメータによる光パルスの前記レーザビームを生成するための少なくとも１つのレーザ源と、
ｃ．最適化された第１の結像パラメータに従って結像変換を実施するための少なくとも１つの走査手段と、
ｄ．少なくとも１つの第１のフォトリソグラフィマスクと少なくとも１つの第２のフォトリソグラフィマスクの間の重ね合わせ誤差を最小にするために使用される目的汎関数と、
を含む、
ことを特徴とする装置。
【発明の詳細な説明】
【技術分野】
【０００１】
本発明は、フォトリソグラフィマスクの誤差を補正する分野に関する。
【背景技術】
【０００２】
半導体産業において絶えず高まる集積密度の結果として、フォトリソグラフィマスクは、益々小さくなる構造を感光層、すなわち、ウェーハ上のフォトレジスト上に投影する必要がある。この要求を満たすために、フォトリソグラフィマスクの露光波長は、電磁スペクトルの近紫外領域から中紫外領域を超えて遠紫外領域に移行された。現時点では、ウェーハ上のフォトレジストの露光において一般的に１９３ｎｍの波長が使用されている。その結果、高まる解像度を有するフォトリソグラフィマスクの製造は、より一層複雑になってきており、従って、高価にもなってきている。今後、フォトリソグラフィマスクは、電磁スペクトルの極紫外（ＥＵＶ）波長範囲の有意により短い波長を使用することになる（約１３．５ｎｍ）。
【０００３】
フォトリソグラフィマスクは、透過均一性、平面性、純度、及び温度安定性に関する最も高い要求を満たさなければならない。今後のＥＵＶフォトリソグラフィマスクでは、基板面上の多層構造から反射される電磁波の位相面を大きく乱さないように、これらのマスクの基板の平面性からの許容可能な偏位は、露光波長の僅か数分の１である。フォトリソグラフィマスクの基板の平面性のより大きい偏位は、フォトレジスト内での波面の破壊的加算の構成に起因して、フォトレジスト内に光学強度分布の変動を招く場合がある。ウェーハの更に別の処理においては、光学強度の変動は、製作欠陥を有する半導体素子をもたらす場合がある。より短くなる露光波長は、この問題をより困難にする。製造業者から供給される基板は、ＥＵＶフォトリソグラフィマスクにおける平面性条件を満たさない場合さえもあり、１つの面上に微細なパターンを形成するマスクの製造工程は、基板の平面性を劣化させる場合さえもある。
【０００４】
透過フォトリソグラフィマスクに対しては、マスク区域にわたる光透過率の均一性が重要なパラメータである。フォトリソグラフィマスクの区域にわたる光透過率の変動は、ウェーハ上のフォトレジストに印加される局所光照射量の対応する変動を招く。局所印加照射量の変動は、現像されたフォトレジストにおいてパターン要素の構造寸法のばらつき又は変動をもたらす。フォトリソグラフィマスクの区域にわたる構造要素の均一性を限界寸法均一性（ＣＤＵ）と呼ぶ。
【０００５】
更に、フォトリソグラフィマスクの基板の曲率もマスクの結像誤差を招く。ＵＳ  ２００７／０２２４５２２２  Ａ１は、製造されたフォトリソグラフィマスクの平面性を改善する方法を説明している。基板の曲率を調節するか又は基板の不均等性を平滑化するために、この文献は、基板の所定の領域内に変形又は膨張部分を形成することを提案しており、この場合、基板は、膨張領域を形成する前に湾曲領域を含む。膨張部分は、基板の結合状態を局所的に修正するフェムト秒レーザパルスをこの領域に集束させることによって生成される。
【０００６】
ＵＳ  ７  ００１  ６９７  Ｂ２は、フォトリソグラフィマスクによってウェーハ上のフォトレジスト内に導入された強度差又は光透過誤差を排除する別の方法を提供している。マスクの単一の照明中に誘起されたフォトレジスト内の光学強度の局所差を補償するために、パターン要素を保持する面と対向する基板面である後側基板面上に回折パターンがエッチングされる。
【０００７】
文献ＵＳ  ７  ２４１  ５３９  Ｂ２及びＵＳ  ２００７／００６５７２９  Ａ１は、フォトリソグラフィマスクによって又はマスクの照明に使用される光学要素によって導入された光透過誤差又は結像誤差を補正する更に別の方法を開示している。ほぼ均一な強度のパターン形成放射線がマスク基板を通じて透過されるように、ここでもまた、フェムト秒レーザパルスを用いてマスクの基板内に遮光要素のアレイを生成することにより、パターン要素を通じた回折誤差がオフセットされる。遮光要素の間隔、サイズ、及び／又は配置は、試行錯誤を用いて経験的に判断され、及び／又はシミュレーションを用いて判断することができる。
【０００８】
通常フォトリソグラフィマスクの基板材料を形成する石英又は溶融シリカに対するフェムト秒レーザパルスの作用は、例えば、Ｓ．Ｏｓｈｅｍｋｏｖ、Ｖ．Ｄｍｉｔｒｉｅｖ、Ｅ．Ｚａｉｔ、及びＧ．Ｇｅｎ−Ｚｖｉ著「溶融シリカ誘導超短レーザ放射線におけるＤＵＶ減衰構造（ＤＵＶ  ａｔｔｅｎｕａｔｉｏｎ  ｓｔｒｕｃｔｕｒｅｓ  ｉｎ  ｆｕｓｅｄ  ｓｉｌｉｃａ  ｉｎｄｕｃｅｄ  ｕｌｔｒａｓｈｏｒｔ  ｌａｓｅｒ  ｒａｄｉａｔｉｏｎ）」、ＣＥＬＥＯＥ−ＩＱＥＣ会報、ミュンヘン２００７年によって研究されている。ここで引用によって全体を本明細書に組み込む本出願人の係属中の米国特許仮出願ＵＳ  ６１／３２４  ４６７及びＵＳ  ６１  ３５１  ０５６は、フォトリソグラフィマスクにおける限界寸法補正（ＣＤＣ）の一部の態様を説明している。
【０００９】
パターン要素での回折に起因して導入される誤差に加えて、フォトリソグラフィマスクを形成するパターン要素も欠陥を有する場合がある。ＵＳ  ７  ４５９  ２４２は、パターン要素を形成するクロム層内に空隙も有するフォトリソグラフィマスクを修復する方法を開示している。フォトリソグラフィマスクの基板内で空隙の前に回折光学要素又は遮蔽要素（ＤＯＥ／ＳＥ）を導入することにより、ＤＯＥ／ＳＥの位置での基板の散乱特性が変更され、従って、フォトリソグラフィマスクの基板上のクロム層内の空隙が補正される。
【００１０】
更に、フォトリソグラフィマスクは、パターン要素の配置誤差を有する場合もあり、すなわち、パターン要素のうちの一部は、パターンパラメータをフォトレジスト上の所定の位置に正確に結像しない。通常、フォトレジスト内でのパターン要素の配置誤差の影響は、像視野の焦点に対してフォトリソグラフィマスクの線形結像変換を実施することで低減される。フォトレジストと平行な平面内でのフォトリソグラフィマスクの小さいシフトにより、配置誤差の全体的な影響を低減することができる。像平面の焦点に関するマスクの回転もまた、フォトリソグラフィマスクの基板上のパターン要素の配置誤差の和を低減することができる。更に、パターン要素の配置誤差を補正するための更に別の可能性は、ウェーハ上のフォトレジスト内でのフォトリソグラフィマスクのパターン要素の結像のスケール補正を実施することである。線形結像変換の後にパターン要素の配置誤差が依然として過度に大きい場合には、マスクを廃棄すべきである。
【００１１】
文献ＤＥ  １０  ２００６  ０５４  ８２０  Ａ１は、更に一段階先に進んでいる。この文献は、それぞれのパターン要素をシフトさせるために、マスクの基板の一部分に配置誤差に近い局所密度変動のアレイを導入することを提案している。フォトレジスト上でのフォトリソグラフィマスクの結像誤差を最小にするための方向へのパターン要素のこのシフトは、ここでもまた、マスクの全体的な配置誤差の和を低減し、従って、マスク製作工程の収量を高める。マスク基板内の局所密度変動は、フェムト秒レーザビームを用いて基板材料を局所的かつ一時的に溶解することによって生成される。この工程は、材料が一時的に溶解された範囲で基板密度を局所的に低減する。レーザビームによって局所的に変更されたドットをピクセルと呼ぶ。パターン要素に対して配置誤差の望ましい補正を実施するのに必要なピクセルの形状、密度、及び構成は、パターン要素が配置された複数のサンプルのそれぞれの照明を実行することによって実験的に判断される。この場合、実験結果は、ライブラリに格納される。
【００１２】
ＤＥ  １０  ２００６  ０５４  ８２０  Ａ１は、フォトリソグラフィマスクの基板上のパターン要素の配置誤差が２段階工程で低減される方法を説明している。第１の段階では、線形結像変換が実施される。第２の段階では、残留配置誤差が、マスクの基板内に密度変動を選択的に導入することによって更に低減される。必要に応じてこのループを繰り返すことができる。しかし、この方式は、多くの場合に許容することができないある一定の量のフォトリソグラフィマスク誤差を依然として保持する。更に、フォトリソグラフィマスクの線形結像変換によって補正することができない配置誤差を補正することができる前に、各基板材料に対して、補正ツールの網羅的なライブラリを実験的に判断する必要がある。
【先行技術文献】
【特許文献】
【００１３】
【特許文献１】ＵＳ  ２００７／０２２４５２２２  Ａ１
【特許文献２】ＵＳ  ７  ００１  ６９７  Ｂ２
【特許文献３】ＵＳ  ７  ２４１  ５３９  Ｂ２
【特許文献４】ＵＳ  ２００７／００６５７２９  Ａ１
【特許文献５】ＵＳ  ６１／３２４  ４６７
【特許文献６】ＵＳ  ６１  ３５１  ０５６
【特許文献７】ＵＳ  ７  ４５９  ２４２
【特許文献８】ＤＥ  １０  ２００６  ０５４  ８２０  Ａ１
【非特許文献】
【００１４】
【非特許文献１】Ｓ．Ｏｓｈｅｍｋｏｖ、Ｖ．Ｄｍｉｔｒｉｅｖ、Ｅ．Ｚａｉｔ、及びＧ．Ｇｅｎ−Ｚｖｉ著「溶融シリカ誘導超短レーザ放射線におけるＤＵＶ減衰構造（ＤＵＶ  ａｔｔｅｎｕａｔｉｏｎ  ｓｔｒｕｃｔｕｒｅｓ  ｉｎ  ｆｕｓｅｄ  ｓｉｌｉｃａ  ｉｎｄｕｃｅｄ  ｕｌｔｒａｓｈｏｒｔ  ｌａｓｅｒ  ｒａｄｉａｔｉｏｎ）」、ＣＥＬＥＯＥ−ＩＱＥＣ会報、ミュンヘン２００７年
【発明の概要】
【発明が解決しようとする課題】
【００１５】
従って、本発明の１つの目的は、誤差補正の後に残留する誤差が最小であり、従って、製作されるフォトリソグラフィマスクの収量を高めるようなフォトリソグラフィマスクを補正する方法及び装置を提供することである。
【課題を解決するための手段】
【００１６】
本発明の第１の態様により、請求項１に記載の方法を提供する。実施形態では、フォトリソグラフィマスクの複数の誤差を補正する方法は、フォトリソグラフィマスクの結像変換の第１のパラメータと、フォトリソグラフィマスク上に局所的に向けられるレーザビームの第２のパラメータとを最適化する段階と、最適化された第１のパラメータを用いて結像変換を適用し、最適化された第２のパラメータを用いてレーザビームをフォトリソグラフィマスク上に局所的に向けることによって複数の誤差を補正する段階とを含み、第１及び第２のパラメータは、共同の最適化工程において同時に最適化される。
【００１７】
結像パラメータとレーザビームパラメータの同時変更は、従来技術の段階的な最適化と比較して最適化工程の変動空間の寸法を拡大する。結像パラメータとレーザビームパラメータのための共同の最適化工程において拡大された解空間は、従来技術の最適化工程では取得不能なフォトリソグラフィマスクの全体的な誤差の低減をもたらす。従って、所定の誤差補正方法の適用は、マスク製作工程の収量を大きく高めることになる。
【００１８】
更に別の態様により、本発明は、誤差データ、第１の結像変換パラメータ、及び第２のレーザビームパラメータを含む目的汎関数を設定する段階と、第１の結像変換パラメータと第２のレーザビームパラメータを同時に変化させることによって目的汎関数を最小にする段階とを含む。更に別の態様では、目的汎関数を設定するのにラグランジュの変分原理が使用される。更に別の態様では、目的汎関数は、第１及び第２のパラメータによってフォトリソグラフィマスク内に導入されるポテンシャルエネルギ分布を最小にする。更に別の態様では、結像変換は、線形結像変換を含む。
【００１９】
本発明の更に別の重要な態様は、レーザビームパラメータと、これらのレーザビームパラメータを有するレーザビームによってフォトリソグラフィマスクの基板内に引き起こされる影響との間の一般的な関係を確立することである。そのような関係の確立は、特定の方式のマスク誤差の補正に必要なレーザビームパラメータの判断を可能にする。更に、レーザビームパラメータとフォトリソグラフィマスクの基板内に引き起こされる影響との間の関係は、フォトリソグラフィマスク上にレーザビームを１回だけ向けることにより、又はレーザビームによってピクセルを書き込む単一の工程において、異なる方式の誤差を同時に補正するようにマスクの基板上にレーザビームを局所的に向けるための最適化されたレーザビームパラメータを判断することを可能にする。
【００２０】
別の態様では、線形結像変換は、フォトリソグラフィマスクシフトに関する２つのパラメータ、フォトリソグラフィマスクスケーリングに関する２つのパラメータ、及びフォトリソグラフィマスクの一般化された回転に関する２つのパラメータを含む。
【００２１】
更に別の態様により、第２のレーザビームパラメータは、レーザビームのエネルギ、及び／又は開口数、及び／又は焦点サイズ、及び／又はビーム偏光、及び／又は非点収差、及び／又はパルス長、及び／又は繰返し数、及び／又はフォトリソグラフィマスクの１つの位置の上に向けられるパルス数、及び／又はレーザビームがフォトリソグラフィマスク上に向けられる２つの位置の間の距離を含む。
【００２２】
別の態様では、レーザビームは、フォトリソグラフィマスクの密度及び／又は光透過率分布を局所的に修正する。一部の態様では、フォトリソグラフィマスクの局所的に修正される密度及び／又は光透過率分布は、フォトリソグラフィマスクの複数の小さい容積内で不連続に修正され、各小さい容積は、ピクセルと呼ばれる。代替の態様では、フォトリソグラフィマスクの局所的に修正される密度及び／又は光透過率分布は、フォトリソグラフィマスクにわたって連続的に修正される。
【００２３】
これは、マスク基板内にピクセルを局所的に導入することによってフォトリソグラフィマスクの基板の密度を特定的に修正することができ、かつ異なるレーザビームパラメータセットを用いてマスクを連続的に修正することによって光透過率分布を別々に修正することができることを意味する。従って、位置合わせ誤差の補正と光透過率分布誤差の補正とを本質的に分離することができる。
【００２４】
更に別の態様では、フォトリソグラフィマスクの密度及び／又は光透過率分布は、レーザビームによって引き起こされる歪み分布によって導入される応力分布によって修正され、応力分布と歪み分布は、フックの法則によって結びつけられる。
【００２５】
更に別の態様では、フォトリソグラフィマスクにわたって延びる矩形格子のノードの変位は、第２のレーザビームパラメータの関数である。
【００２６】
別の態様により、第２のレーザビームパラメータは、レーザビームによってフォトリソグラフィマスク内に導入される少なくとも１つの書込密度振幅と、レーザビームに対して垂直な法線方向の少なくとも１つの変形要素とを判断する。更に別の態様では、セルα内でのモードｍの少なくとも１つの書込密度振幅：
0005883249.tif 000002
と、セルα内でのモードｍの少なくとも１つの法線方向ｌの少なくとも１つの変形要素：
0005883249.tif 000003
とは、
0005883249.tif 000004
よって与えられるノードｉの変位ξiを導入し、この場合、テンソル：
0005883249.tif 000005
は、複数の誤差を補正する前のポテンシャルエネルギ分布の逆テンソルであり、
0005883249.tif 000006
は、フォトリソグラフィマスク上にレーザビームを向けた後のポテンシャルエネルギ分布を表すテンソル要素であり、両方のテンソルが、フォトリソグラフィマスクの材料パラメータを含み、Ｎklは、正規化テンソルである。
【００２７】
上述の式は、レーザビームの第２のレーザビームパラメータをフォトリソグラフィマスクに対するこれらのパラメータの影響と結びつける。これは、本発明の方法は、レーザビームの光パルスがフォトリソグラフィマスクの基板材料内に引き起こす影響を判断するために、フォトリソグラフィマスクの材料パラメータと基本的な物理法則を使用することを意味する。
【００２８】
別の態様では、レーザビームの書込密度振幅は、フォトリソグラフィマスクの損傷閾値よりも小さい。レーザビームパラメータは、一方ではレーザビームがフォトリソグラフィマスクの基板の密度及び／又は光透過率分布を修正するが、他方ではフォトリソグラフィマスクの基板を局所的に損傷しないように選択すべきである。
【００２９】
更に別の態様により、フォトリソグラフィマスク上のある一定の位置における変位は、全ての格子ノードの変位の線形結合から判断される。
【００３０】
更に別の態様では、誤差データは、複数の誤差の位置を示すデータを含む。別の態様により、誤差データは、フォトリソグラフィマスクの少なくとも１つの測定値、及び／又はフォトリソグラフィマスクを用いて照明されるウェーハの少なくとも１つの測定値から判断され、及び／又はフォトリソグラフィマスクの基板の製造業者から供給される。別の態様では、結像変換から発する複数の誤差うちの一部分は、フォトリソグラフィマスクを用いて照明されるウェーハの少なくとも１つの測定値から判断される。
【００３１】
別の態様により、フォトリソグラフィマスクは、フォトリソグラフィマスク上に配置された少なくとも１つの吸光材料の複数のパターン要素を含む。
【００３２】
別の態様では、誤差データは、フォトリソグラフィマスクのパターン要素の判断された位置とパターン要素の所定の位置の間の差を含む。別の態様により、誤差データは、フォトリソグラフィマスクを用いて照明されるウェーハ上のパターン要素の判断された位置と、ウェーハ上のパターン要素の所定の位置の間の差を含む。代替の態様では、誤差データは、フォトリソグラフィマスクの判断された光透過率分布と、フォトリソグラフィマスクの所定の光透過率分布の間の差を含む。更に別の態様では、誤差データは、フォトリソグラフィマスクの判断された光透過率分布とフォトリソグラフィマスクの所定の光透過率分布との間の差、及びフォトリソグラフィマスク上又はフォトリソグラフィマスクを用いて照明されるウェーハ上のパターン要素の判断された位置とフォトリソグラフィマスク上又はフォトリソグラフィマスクを用いて照明されるウェーハ上のパターン要素の所定の位置との間の差を含む。
【００３３】
更に別の態様では、誤差データは、フォトリソグラフィマスクを用いて照明されるウェーハ上のパターン要素の計算位置とウェーハ上のパターン要素の所定の位置の間の差を含む。別の態様により、第１の方式の複数の誤差を補正するためにフォトリソグラフィマスク上にレーザビームを局所的に向けることからパターン要素の計算位置が判断される。更に別の態様では、誤差データは、フォトリソグラフィマスクの計算光透過率分布とフォトリソグラフィマスクの所定の光透過率分布の間の差を含む。更に別の態様では、計算光透過率分布は、第２の方式の複数の誤差を補正するためにフォトリソグラフィマスク上にレーザビームを局所的に向けることから判断される。
【００３４】
誤差を測定するのに加えて、例えば、位置合わせ誤差を補正する際にフォトリソグラフィマスクの基板内に新しく導入される誤差を計算することができる。計算誤差は、第２の書込工程においてフォトリソグラフィマスクの基板上にレーザビームを再度向けることによって補正することができる。
【００３５】
更に別の態様では、目的汎関数は、ティホノフの正則化を用いて残留変位の二乗平均として最小にされる。
【００３６】
別の態様により、セルα内でのモードｍのｍ個の書込密度振幅：
0005883249.tif 000007
と法線方向ｌの変形要素：
0005883249.tif 000008
とを有する目的汎関数は、
0005883249.tif 000009
の形式のものであり、この場合、φiは、フォトリソグラフィのパターン要素の判断された位置とパターン要素の所定の位置の間の差を含み、フォトリソグラフィマスクの任意の位置における変位ζiは、
0005883249.tif 000010
によるノードξiにおける変位からの線形変換によって判断され、Ｍijは、ζi及びξiの間の変換行列であり、更に、ノードｉにおける変位ξiと、書込密度振幅：
0005883249.tif 000011
及びレーザビームによって導入される法線方向の変形要素：
0005883249.tif 000012
との接続は、先行するページ上で定義されており、更に、第３の項は、線形結像変換を表し、ここで、ベクトルｓ＝｛ｍx，ｍy，ｓx，ｓy，ｒx，ｒy｝は、線形結像係数を含み、テンソルＴikは、線形結像係数ｓkをノード平面の変位ξiに変換し、最後に、最後の２つの和は、ティホノフの正則化の項である。
【００３７】
有益な態様により、目的汎関数は、フォトリソグラフィマスクの活性区域及び／又は不活性区域内の拘束条件として少なくとも１つの重み付け関数を含む。別の態様では、少なくとも１つの重み付け関数は、フォトリソグラフィマスクの活性区域の中心の周りにレーザビームを局所的に向けることが好ましい。更に別の態様では、少なくとも１つの重み付け関数は、パターン要素の区域にレーザビームを向けることを制限する。更に別の態様では、少なくとも１つの重み付け関数は、パターン要素の区域の周囲にレーザビームを向けることを制限する。更に別の態様により、ピクセルの密度は、パターン要素からの距離の増大と共に低下する。更に別の態様では、少なくとも１つの重み付け関数は、フォトリソグラフィマスク上にレーザビームを局所的に向ける際に異なる方式の誤差の補正を含む。更に有益な効果により、少なくとも１つの重み付け関数は、フォトリソグラフィマスクの第１の区域上にレーザビームを局所的に向けることによって導入される誤差をフォトリソグラフィマスクの第２の区域上にレーザビームを局所的に向けることによって均衡化する。
【００３８】
別の態様では、複数の誤差は、異なる方式の複数の誤差を含む。更に別の態様により、異なる方式の複数の誤差は、位置合わせ誤差、及び／又は光透過率分布誤差、及び／又は平面性誤差を含む。別の態様では、ピクセル及び／又は連続的に修正された密度は、フォトリソグラフィマスク内の基板の高さにある少なくとも１つの単層に配置される。有益な態様により、ピクセル及び／又は連続的に修正された密度は、フォトリソグラフィマスク内の基板の高さにある少なくとも２つの層に配置される。更に別の態様では、少なくとも２つの層に配置されるピクセルは、異なるレーザビームパラメータを用いて生成される。更に別の態様では、補正されなかった誤差、及び／又はフォトリソグラフィマスクの基板上にレーザビームを局所的に向けて、複数の誤差を補正するためのピクセルを第１の層内に生成する際に導入された誤差は、フォトリソグラフィマスク上にレーザビームを再度向けて、フォトリソグラフィマスクの第２の層内にピクセルを生成することによって補正される。
【００３９】
更に有益な態様では、フォトリソグラフィマスクは、透過フォトリソグラフィマスクを含む。代替の態様では、フォトリソグラフィマスクは、反射フォトリソグラフィマスクを含む。更に別の態様では、フォトリソグラフィマスクは、ナノインプリントリソグラフィのためのテンプレートを含む。
【００４０】
別の態様により、重み付け関数は、複数の誤差のうちの位置合わせ誤差と平坦性誤差とを同時に補正するように構成される。
【００４１】
更に別の態様では、レーザビームは、フォトリソグラフィマスクの活性区域上に向けられない。
【００４２】
フォトリソグラフィマスクの活性区域上にレーザビームを向けないことにより、識別された誤差を補正する最中にいかなる新しい又は付加的な誤差もフォトリソグラフィマスクの活性区域内に導入されないことが保証される。その一方、欠陥を有する区域から更に遠い場合がある誤差補正区域を制限することにより、影響の低い補正工程が生じるのは明らかである。この欠点は、より高いパルスエネルギを用いてマスクの不活性区域上にレーザビームを向けることによって少なくとも部分的に補償することができる。
【００４３】
別の態様は、２つの垂直方向、特にｘ方向及びｙ方向の変位を制御するために目的汎関数内に少なくとも２つの重み付け関数を導入する段階と、重み付け関数を変化させることによる反復工程において目的汎関数を解く段階とを含む。更に別の態様では、重み付け関数ｗiを有する単一の書込密度振幅ａαに関する目的汎関数は、
0005883249.tif 000013
の形式のものであり、この場合、
0005883249.tif 000014
かつ
0005883249.tif 000015
であり、更に、ｗ0＝０、及び変動限界が、
0005883249.tif 000016
及び
0005883249.tif 000017
である時に、インデックスｋを有する反復工程に対する重み付け関数は、
0005883249.tif 000018
及び
0005883249.tif 000019
であり、フォトリソグラフィマスクの活性区域内でａα＝０である。更に別の態様では、反復工程は、生じた変位が所定の閾値を上回った場合に反復を停止する段階と、所定の閾値に対して最大差を有する方向を判断する段階と、判断された方向への生じた変位が閾値を上回った場合に反復を停止する段階と、ｘ方向が所定の閾値に対して最大の差を有する場合に、
0005883249.tif 000020
を選択し、変動限界を
0005883249.tif 000021
0005883249.tif 000022
に修正する段階と、ｙ方向が所定の閾値に対して最大の差を有する時に、
0005883249.tif 000023
を選択し、変動限界を
0005883249.tif 000024
0005883249.tif 000025
に修正する段階と、この反復工程を繰返し、それぞれの方向に関する解として最後の重み付け関数を取る段階とを含む。
【００４４】
更に別の態様により、レーザビーム及び／又はフォトリソグラフィマスクは、レーザビームがフォトリソグラフィマスク上に向けられる期間の一部分にわたってレーザビームと平行な軸の回りにある一定の角度だけ回転される。
【００４５】
通常、レーザビームは、ビーム方向に対して垂直な平面内で完全には対称ではないので、単一のレーザビームパラメータセットのピクセルは、レーザビームに対して垂直な平面内で非対称性を生じる。ビーム方向の回りに互いに対して回転された２つのレーザビームの印加は、レーザビームによって導入される非対称性を少なくとも部分的に補償する簡単な手段を提供する。
【００４６】
別の態様では、レーザビーム及び／又はフォトリソグラフィマスクの回転角は９０°である。更に別の態様では、フォトリソグラフィマスク及び／又はレーザビームの回転なしにレーザビームがフォトリソグラフィマスク上に向けられる期間は、レーザビームがフォトリソグラフィマスク上に向けられる全体の期間の５０％である。
【００４７】
別の態様では、フォトリソグラフィマスク上にレーザビームを向ける段階は、フォトリソグラフィマスクの露光波長のレーザビームに対する光透過率分布の変動を導入しない。
【００４８】
本発明の方法のこの態様は、識別された誤差の補正がマスクの活性区域内に新しい誤差を導入しないことを保証する。
【００４９】
更に別の態様により、フォトリソグラフィマスク上にレーザビームを向ける段階は、フォトリソグラフィマスクにわたって露光波長のレーザビームに対する光透過率の一定の修正を導入する。更に別の態様では、フォトリソグラフィマスクにわたって露光波長のレーザビームに対する光透過率分布の変動を導入しないために、フォトリソグラフィマスク上にレーザビームを向ける段階は、第１の書込密度振幅：
0005883249.tif 000026
を有する第２のレーザビームパラメータから構成された少なくとも１つの第１のセットと、第２の書込密度振幅：
0005883249.tif 000027
を有する第２のレーザビームパラメータから構成された少なくとも１つの第２のセットとを用いて実施される。更に別の態様では、第１の書込密度振幅と第２の書込密度振幅の間の分割を最適化するための目的汎関数は、
0005883249.tif 000028
の形式のものであり、この場合、ｃが任意の定数である時に、セルα内で一定の光透過率という条件は、
0005883249.tif 000029
であることを必要とする。
【００５０】
別の態様により、フォトリソグラフィマスク上にレーザビームを向ける段階は、フォトリソグラフィマスクの露光波長のレーザビームに対する光透過率分布の所定の変動をフォトリソグラフィマスクにわたって付加的に導入する。
【００５１】
フォトリソグラフィマスクの基板上に上述の条件を満たすパラメータを有するレーザビームを局所的に向けることにより、位置合わせ誤差と光透過率分布誤差又はＣＤＵ誤差の両方をマスク基板内にピクセルを書き込む単一の工程において同時に補正することができる。
【００５２】
更に別の態様では、フォトリソグラフィマスク上にレーザビームを向ける段階は、フォトリソグラフィマスクにわたって露光波長のレーザビームに対する光透過率の所定の変動を付加的に導入するために、第２のレーザビームパラメータから構成された少なくとも１つの第１のセットと、第２のレーザビームパラメータから構成された少なくとも１つの第２のセットとを用いて実施される。更に別の態様では、上記に定めた目的汎関数は、Ｔmodが活性区域内の光透過率分布の所定の変動である時に、各セルαに対する追加条件、すなわち、フォトリソグラフィマスクの活性区域内のセル内では
0005883249.tif 000030
であり、活性区域の外側のセル内ではａα＝一定である
0005883249.tif 000031
という条件の下で、第１の書込密度振幅：
0005883249.tif 000032
と第２の書込密度振幅：
0005883249.tif 000033
の間の分割を最適化するのに使用される。
【００５３】
更に別の態様では、本発明の方法は、フォトリソグラフィマスクの活性区域内の光透過率分布誤差を補正することによってフォトリソグラフィマスク内に新しく導入される誤差を補正するために、フォトリソグラフィマスク上にレーザビームを向ける段階を含む。
【００５４】
マスク基板上にレーザビームを向けるか又はフォトリソグラフィマスクの基板内にピクセルを書き込むことによる光透過率分布誤差又はＣＤＵ誤差の補正が、ＣＤＵ補正工程の前には観察されなかった位置合わせ誤差を導入する場合があることは既に公知である。目的汎関数を最小にする際に目的汎関数内に適切な拘束条件を考慮することにより、本発明の方法は、これらの位置合わせ誤差を補正することを可能にする。
【００５５】
別の態様では、新しく導入される誤差は位置合わせ誤差であり、これらの位置合わせ誤差は、レーザビームを第１のレーザビームパラメータセットを用いてフォトリソグラフィマスクの活性区域上に向け、第２のレーザビームパラメータセットを用いて不活性区域上に向けることによって補正される。更に別の態様では、位置合わせ誤差は、レーザビームをフォトリソグラフィマスクの不活性区域上に向けることによって補正される。本発明の方法の更に別の態様では、フォトリソグラフィマスクの不活性区域上にレーザビームを向ける段階は、不活性区域にわたって単一の第２のレーザビームパラメータセットのみを使用する段階を含む。別の態様では、フォトリソグラフィマスクの不活性区域上にレーザビームを向ける段階は、フォトリソグラフィマスクの活性区域を取り囲む少なくとも２つのフレームを含み、各フレームは、１つの第２のレーザビームパラメータセットを有し、導入される密度修正は、レーザビームをこれらのフレーム上に向ける段階がフォトリソグラフィマスクの境界に向けて低下する場合に低下する。更に別の態様では、活性区域内の光透過率誤差を補正するために書込密度振幅ａcdcjを有し、位置合わせ誤差を補正するために不活性区域内に書込密度振幅ａapojを有する目的関数は、
0005883249.tif 000034
の形式のものであり、この場合、第１の項は、フォトリソグラフィマスクの活性区域内での光透過率分布補正によって導入される変位を考慮し、第２の項は、レーザビームを不活性区域上に向ける際にレーザビームによって導入される変位を定め、書込密度振幅：
0005883249.tif 000035
は、フォトリソグラフィマスクの不活性区域内でのみ定義される。
【００５６】
本発明の方法の更に別の態様では、フォトリソグラフィマスク上にレーザビームを向ける段階は、フォトリソグラフィマスクにわたって光透過率分布誤差を補正する段階が、フォトリソグラフィマスク内に位置合わせ誤差を導入しないように、少なくとも２つのレーザビームパラメータセットを含む。
【００５７】
マスク基板内に異なる影響をもたらす少なくとも２つの異なるレーザビームパラメータセット又は書込モードを有するレーザビームをフォトリソグラフィマスクの基板上に局所的に向けることにより、いかなる新しい位置合わせ誤差も導入することなく光透過率分布誤差又はＣＤＵ誤差を補正することができる。
【００５８】
別の態様により、第２のレーザビームパラメータの第１のセットは、第１のレーザビームを含み、第２のレーザビームパラメータの第２のセットは、第２のレーザビームを含み、第２のレーザビームは、第１のレーザビームに対してビーム方向の回りに回転される。別の態様では、フォトリソグラフィマスクは、レーザビームと平行な軸の回りに回転される。更に別の態様では、レーザビーム及び／又はフォトリソグラフィマスクは、９０°回転される。別の態様により、フォトリソグラフィマスクにわたって第１及び第２のレーザビームを向ける段階の時間的及び／又は空間的分布は、フォトリソグラフィマスクにわたる光透過率の変動を除去し、フォトリソグラフィマスク内に新しい誤差を導入する段階を最小限に止める。第１の回転されていないレーザビームに対する書込密度振幅：
0005883249.tif 000036
と、第２の回転されたレーザビームに対する書込密度振幅：
0005883249.tif 000037
の間の分割を最適化するための本発明の方法の別の態様では、目的汎関数は、フォトリソグラフィマスクの活性区域内のセルｊに対する追加条件：
0005883249.tif 000038
下で
0005883249.tif 000039
の形式のものである。
【００５９】
別の態様により、第２のレーザビームパラメータの第１のセットは、第２のレーザビームパラメータの第２のセットよりも数倍高いエネルギを有するレーザパルスを含み、及び／又は第２のレーザビームパラメータの第１のセットは、フォトリソグラフィマスク上で、第２のレーザビームパラメータの第２のセットにおけるものよりも数倍低いパルス密度を有する。
【００６０】
マスク基板の異なる部分における異なるパルスエネルギを有するレーザビームの印加は、フォトリソグラフィマスクの活性区域内での新しい誤差、特に位置合わせ誤差の生成なしに光透過率誤差の補正を可能にする。
【００６１】
更に別の態様では、第２のレーザビームパラメータの第１のセットのエネルギと第２のセットのエネルギの間の比は、１．５〜１０、好ましくは、１．８〜７、及び最も好ましくは、２〜４の範囲を含む。更に別の態様では、レーザビームパラメータの第１のセット又は標準エネルギモード（ｓｔｄ）と第２のセット又は低エネルギモード（ｌｅ）の間の最適な分割は、フォトリソグラフィマスクの活性区域内のセルｊに対する第２のレーザビームパラメータの第１のセットの標準エネルギ密度書込振幅：
0005883249.tif 000040
と、第２のレーザビームにおける低エネルギ密度書込振幅：
0005883249.tif 000041
に関する追加条件：
0005883249.tif 000042
の下で
0005883249.tif 000043
の形式を有する目的汎関数から判断され、第２のレーザビームパラメータの第１のセットの低エネルギ密度書込振幅は、高いパルス密度によって補償される。
【００６２】
更に別の態様では、パルスエネルギは０．０５μＪから５μＪであり、パルス長は、０．０５ｐｓから１００ｐｓであり、繰返し数は、１ｋＨｚから１０ＭＨｚであり、パルス密度は、１０００パルス毎ｍｍ2から１０  ０００  ０００パルス毎ｍｍ2であり、対物系のＮＡは、０．１から０．９であり、対物系の倍率は、５×から４０×である。別の態様により、第２のレーザビームパラメータの第１のセットは、０．４５μＪ〜０．５５μＪのパルスエネルギ、５〜１０ｐｓのパルス持続時間、１０ｋＨｚ〜１００ｋＨｚの繰返し数、０．３〜０．４の対物系のＮＡ、１０×〜２０×の対物系の倍率、及び１０００〜１００  ０００パルス毎ｍｍ2のパルス密度を含み、第２のレーザビームパラメータの第１のセットは、０．２７μＪ〜０．３７μＪのパルスエネルギ及び５０００〜５００  ０００パルス毎ｍｍ2のパルス密度を有する。
【００６３】
更に別の態様では、フォトリソグラフィマスク上にレーザビームを向ける段階は、レーザビームを活性区域上に向けるための異なるパルスエネルギを有する第１のセット及び第２のセット、並びにフォトリソグラフィマスクの不活性区域上にレーザビームを向けるための第３のセットという第２のレーザビームパラメータの少なくとも３つのセットを含む。
【００６４】
フォトリソグラフィマスクの基板上に３つの異なるレーザビームパラメータセット又は書込モードを有するレーザビームを局所的に向けることにより、異なる方式の誤差の補正に関して又は基本条件又は境界条件の配慮に関して柔軟性が更に高まる。従って、異なる第２のレーザビームパラメータセットを有するレーザビームをフォトリソグラフィマスク上に向ける段階は、フォトリソグラフィマスクの基板を局所的に修正する柔軟性を高めるので、本発明の方法のこの態様は、位置合わせ誤差と光透過率誤差の同時補正を容易にする。
【００６５】
別の態様により、第１のセット又は標準エネルギモード（ｓｔｄ）と、第２のセット又は低エネルギモード（ｌｅ）と、第３のレーザビームパラメータセット（ａｐｏ）との間の最適な分割は、目的汎関数：
0005883249.tif 000044
から判断される。
【００６６】
別の態様では、目的汎関数は、少なくとも１つの第１のフォトリソグラフィマスクと少なくとも１つの第２のフォトリソグラフィマスクの間の重ね合わせ誤差を最小限に止めるために使用される。
【００６７】
半導体素子の製作では、通常、ウェーハ上に複雑な構造を生成するために、製造工程中に一連のフォトリソグラフィマスクが同じウェーハに対して連続して適用される。多くの用途では、光軸に対するマスクパターンの絶対位置は、重ね合わせ限界構造をウェーハ上に印刷することができるような２つ又はそれよりも多くのマスクの互いに対する向き程には重要ではない。従って、目的は、第１のフォトリソグラフィマスクを所定の設計との最良適合に向けることではなく、第２のマスクとの最良適合を得ることである。本発明の方法は、２つ又はそれよりも多くのフォトリソグラフィマスクのそのような重ね合わせ誤差を補正するのに使用することができる。特に、両方のマスクの第１のパラメータと第２のパラメータとを同時に変化させることができる場合には、２つのマスクの相対的な向きを低い残留位置合わせ誤差しか持たずに最適化することができる。
【００６８】
更に別の態様では、目的汎関数は、少なくとも第１のフォトリソグラフィマスクと少なくとも第２のフォトリソグラフィマスクの間に複数の位置合わせ差を含み、重ね合わせ誤差は、目的汎関数を最小にすることによって最大にされる。更に別の態様では、第１のフォトリソグラフィマスクの位置合わせは固定され、第２のフォトリソグラフィマスクの位置合わせは、目的汎関数によって変更される。更に別の態様により、第１及び第２のフォトリソグラフィマスクの位置合わせは、目的汎関数によって変更される。更に別の態様では、１０ページに提供している目的汎関数のパラメータφiは、第１のフォトリソグラフィマスクの位置合わせを表し、上述の目的汎関数のパラメータζiは、第２のフォトリソグラフィマスクの位置合わせを表し、上述の目的汎関数は、条件：
0005883249.tif 000045
の下に使用され、この場合、書込密度振幅：
0005883249.tif 000046
の正の部分は、第１のフォトリソグラフィマスク上に補正され、負の部分は、第２のフォトリソグラフィマスク上に補正される。
【００６９】
最後に、更に別の態様において、フォトリソグラフィマスクの複数の誤差を補正するための装置は、フォトリソグラフィマスクの結像変換の第１のパラメータと、フォトリソグラフィマスク上に局所的に向けられるレーザビームの第２のパラメータとを同時に最適化するように作動可能な少なくとも１つのコンピュータ手段と、最適化された第２のレーザビームパラメータに従って光パルスのレーザビームを生成するための少なくとも１つのレーザ源と、最適化された第１の線形結像パラメータに従って結像変換を実施するための少なくとも１つの走査手段とを含む。
【００７０】
本発明の更に別の態様は、更に別の従属請求項に記載されている。
【００７１】
本発明をより明快に理解し、その実用的な用途を把握するために、以下の図を提供して以下に参照する。これらの図は、単に例示的に提供するものであり、本発明の範囲を限定するわけでは決してないことに注意すべきである。
【図面の簡単な説明】
【００７２】
【図１】透過フォトリソグラフィマスクの概略断面図である。
【図２ａ】反射フォトリソグラフィマスクの概略断面図である。
【図２ｂ】ナノインプリントリソグラフィに使用されるテンプレートの概略断面図である。
【図３】図１及び図２のフォトリソグラフィマスクの基板の修正のための装置の略ブロック図である。
【図４】フォトリソグラフィマスクの初期位置合わせ問題を図式的に示す図である。
【図５】線形結像変換を実施した後の図３の位置合わせ問題の概略図である。
【図６】図５に示す位置合わせ問題に対して計算された補正マップの図である。
【図７】それぞれの目的汎関数を最適化した後の図４のマスクの残留位置合わせ誤差の予測図である。
【図８】それぞれの目的汎関数を最小にすることから得られるレーザビームパラメータを用いて誤差補正を実施した後の図４のフォトリソグラフィマスクの計測残留位置合わせ誤差の図である。
【図９】図４の位置合わせ誤差を補正し、線形結像変換を実施した後の計測誤差補正と模擬誤差補正との比較図である。
【図１０】フォトリソグラフィマスクの活性区域内にレーザビームを向けずに位置合わせ誤差を補正する方法の流れ図である。
【図１１ａ】フォトリソグラフィマスクの活性区域内にピクセルを書き込最初に補正される位置合わせ問題の概略図である。
【図１１ｂ】線形結像変換の実行後の図１１ａの位置合わせ問題の概略図である。
【図１２】最適化ループを１回通過した後の図１０の最適化ループを用いて得られた補正書込マップの図である。
【図１３】図１２の補正書込マップを用いた後、更に線形結像変換を実施した後の図１１の模擬残留位置合わせ問題の図である。
【図１４】図１０の最適化流れ図を数回通過した後の補正書込マップの図である。
【図１５】図１４の補正書込マップを用いた後、更に線形結像変換を実施した後の図１１の模擬残留位置合わせ問題の図である。
【図１６】図１４の補正書込マップを図１１のフォトリソグラフィマスクの基板に適用した後、更に線形結像変換を実施した後の図１１の計測残留位置合わせ問題の図である。
【図１７】図３のレーザビームの０°書込モード署名（左）及び９０°書込モード署名（右）の概略図である。
【図１８ａ】２つの異なる書込モードの図３のレーザビームを用いて補正される位置合わせ問題の概略図である。
【図１８ｂ】線形結像変換を実施した後の図１８ａの位置合わせ問題の概略図である。
【図１９ａ】０°書込モード署名に対する補正書込マップの図である。
【図１９ｂ】９０°書込モード署名に対する補正書込マップの図である。
【図２０】図１９ａと図１９ｂの組合せ補正書込マップの図である。
【図２１ａ】図１９ａの補正書込マップによって生じる位置合わせ変化の概略図である。
【図２１ｂ】図１９ｂの補正書込マップによって生じる位置合わせ変化の概略図である。
【図２１ｃ】図１９ａ及び図１９ｂの補正書込マップによって生じる位置合わせ変化の和の概略図である。
【図２２ａ】図２０の書込補正マップを用いた図１８ａの位置合わせ補正の予測結果の概略図である。
【図２２ｂ】線形結像変換を実施した後の図２２ａの位置合わせ補正の図である。
【図２３】図２０の書込補正マップを用いた計測位置合わせ補正の概略図である。
【図２４】図３のレーザビームの通常書込モード（左）及び低位置合わせ（ＬｏｗＲｅｇ）書込モード（右）の署名の概略図である。
【図２５ａ】第１の書込モードにおける書込補正マップの図である。
【図２５ｂ】第２の書込モードにおける書込補正マップの図である。
【図２６】ＣＤ補正を実施した後の図４の残留位置合わせ問題の概略図である。
【図２７ａ】計測ＣＤ均一性マップの図である。
【図２７ｂ】図２７ａのＣＤ均一性問題を補正するのに必要な補正書込マップの図である。
【図２８ａ】位置合わせ問題及び図２７ａのＣＤ均一性問題に対する第１の書込モードにおける最適化補正書込マップの図である。
【図２８ｂ】位置合わせ問題及び図２７ａのＣＤ均一性問題に対する第２の書込モードにおける最適化補正書込マップの図である。
【図２８ｃ】位置合わせ問題及び図２７ａのＣＤ均一性問題に対する第１（図２８ａ）及び第２（図２８ｂ）の書込モードに対して組み合わされた最適化補正書込マップを示す図である。
【図２９】図２８ｃの補正書込マップに従ってピクセル書込を実施した後、更に線形結像変換を実施した後の残留位置合わせ問題の概略図である。
【図３０】２％の一定の書込密度での標準ＣＤＣ試験書込マップの図である。
【図３１ａ】図３０の書込マップによって生じる計測位置合わせ変化の概略図である。
【図３１ｂ】線形結像変換を実施した後の図３０の書込マップによって生じる計測位置合わせ変化の概略図である。
【図３２ａ】図３０の書込マップによって生じる模擬位置合わせ変化の概略図である。
【図３２ｂ】図３０のＣＤＣ（限界寸法補正）試験書込における模擬位置合わせ変化と計測位置合わせ変化の間の差の概略図である。
【図３３ａ】図３０の書込マップによって生じる模擬位置合わせ変化の概略図である。
【図３３ｂ】線形結像変換を実施した後の図３３ａの位置合わせ変化の概略図である。
【図３４ａ】図３０のＣＤＣ試験書込によって生じる位置合わせ誤差を補正するための計算アポディゼーション書込マップの図である。
【図３４ｂ】図３３ａのアポディゼーション書込マップによって生じる位置合わせ変化の概略図である。
【図３５ａ】図３０及び図３４ａのＣＤＣ補正及びＡＰＯ（アポディゼーション）補正の書込の後の位置合わせ変化の図である。
【図３５ｂ】線形結像変換を実施した後の図３５ａの位置合わせ変化の図である。
【図３６ａ】減衰アポディゼーション書込マップの図である。
【図３６ｂ】図３６ａの減衰アポディゼーション書込マップによって生じる位置合わせ変化の概略図である。
【図３７ａ】図３０の試験ＣＤ補正と図３６ａの減衰アポディゼーションとを組み合わせた書込マップの図である。
【図３７ｂ】図３７ａの試験ＣＤ補正と減衰アポディゼーションとの書込マップによって生じる位置合わせ変化の概略図である。
【図３７ｃ】線形結像変換の実施後の図３７ｂの位置合わせ変化の概略図である。
【図３８ａ】ＣＤ補正のための書込マップの図である。
【図３８ｂ】図３８ａの試験ＣＤ補正と減衰アポディゼーションとの書込マップによって生じる位置合わせ変化の概略図である。
【図３８ｃ】線形結像変換の実施後の図３８ｂの位置合わせ変化の概略図である。
【図３９ａ】アポディゼーション書込マップの図である。
【図３９ｂ】図３９ａのアポディゼーション書込マップによって生じる位置合わせ変化の概略図である。
【図３９ｃ】線形結像変換の実施後の図３８ｂの位置合わせ変化の概略図である。
【図４０ａ】ＣＤ補正のための更に別の書込マップの図である。
【図４０ｂ】図４０ａのＣＤ補正マップによって生じる位置合わせ変化の概略図である。
【図４０ｃ】線形結像変換の実施後の図４０ｂの位置合わせ変化の概略図である。
【図４１ａ】図４０ａのＣＤＣタスクに対して計算されたアポディゼーション書込マップの図である。
【図４１ｂ】フォトリソグラフィマスクの活性区域内に図４１ａのアポディゼーション書込マップによって生じる位置合わせ変化の概略図である。
【図４２ａ】図４０ａのＣＤ補正と図４１ａの計算アポディゼーションとを組み合わせた書込マップの図である。
【図４２ｂ】図４２ａのＣＤＣとＡＰＯとの書込マップによって生じる位置合わせ変化の概略図である。
【図４２ｃ】線形結像変換を実施した後の図４２ｂの残留位置合わせ変化の概略図である。
【図４３ａ】図４０ａのフォトリソグラフィマスクにおいて計測された図４２ａの補正書込マップの図である。
【図４３ｂ】図４３ａの補正マップによって生じる位置合わせ変化の概略図である。
【図４３ｃ】線形結像変換の実施後の図４２ｂの位置合わせ変化の概略図である。
【図４４ａ】ピクセルのうちの第１の半分が０°モード署名を用いて書き込まれる場合に図３０の試験ＣＤ補正マップによって生じる位置合わせ変化の概略図である。
【図４４ｂ】ピクセルのうちの第２の半分が９０°モード署名を用いて書き込まれる場合に図３０の試験ＣＤ補正マップによって生じる位置合わせ変化の概略図である。
【図４５ａ】ピクセルのうちの第１の半分が０°モード署名を用いて書き込まれ、ピクセルのうちの第２の半分が９０°モード署名を用いて書き込まれる場合に図３０の試験ＣＤ補正マップによって生じる位置合わせ変化の概略図である。
【図４５ｂ】線形結像変換を実施した後の図４５ａの試験ＣＤ補正マップの残留位置合わせ変化の概略図である。
【図４６ａ】０°モード署名を有する書込モードにおける図３０の試験ＣＤＣ書込マップのＣＤ補正書込マップの図である。
【図４６ｂ】９０°モード署名を有する書込モードにおける図３０の試験ＣＤＣ書込マップのＣＤ補正書込マップの図である。
【図４７ａ】図４６ａのＣＤ補正書込マップによって生じる位置合わせ変化の概略図である。
【図４７ｂ】図４６ｂのＣＤ補正書込マップによって生じる位置合わせ変化の概略図である。
【図４８ａ】図４６ａと図４６ｂとの組合せＣＤ補正書込マップによって生じる位置合わせ変化の概略図である。
【図４８ｂ】線形結像変換を実施した後の図４８ａの残留位置合わせ変化の概略図である。
【図４９ａ】０°モード署名を有する書込モードにおける図３８ａのＣＤＣ問題に対するＣＤ補正書込マップの図である。
【図４９ｂ】９０°モード署名を有する書込モードにおける図３８ａのＣＤＣ問題に対するＣＤ補正書込マップの図である。
【図５０ａ】図４９ａと図４９ｂとの組合せＣＤ補正書込マップによって生じる位置合わせ変化の概略図である。
【図５０ｂ】線形結像変換を実施した後の図５０ａの残留位置合わせ変化の概略図である。
【図５１ａ】ＬｏｗＲｅｇ（低位置合わせ）書込モードを使用することによって生じる位置合わせ変化の概略図である。
【図５１ｂ】線形結像変換を実施した後の図５１ａの残留位置合わせ変化の概略図である。
【図５２ａ】標準又は通常書込モードにおける図３８ａのＣＤＣ問題に対するＣＤ補正書込マップの図である。
【図５２ｂ】ＬｏｗＲｅｇ書込モードにおける図３８ａのＣＤＣ問題に対するＣＤ補正書込マップの図である。
【図５３ａ】標準又は通常書込モードにおける図３８ａのＣＤＣ問題に対するＣＤ補正書込マップの図である。
【図５３ｂ】ＬｏｗＲｅｇ書込モードにおける図３８ａのＣＤＣ問題に対するＣＤ補正書込マップの図である。
【図５４ａ】マスクＢの初期位置合わせ問題の概略図である。
【図５４ｂ】線形結像変換を実施した後の図５４ａのマスクＢの残留位置合わせ問題の概略図である。
【図５５ａ】マスクＣの初期位置合わせ問題の概略図である。
【図５５ｂ】線形結像変換を実施した後の図５５ａのマスクＣの残留位置合わせ問題の概略図である。
【図５６】図５４ａのマスクＢと図５５ａのマスクＣとの初期重ね合わせ問題の概略図である。
【図５７ａ】マスクＢに対する計算補正書込マップの図である。
【図５７ｂ】マスクＣに対する計算補正書込マップの図である。
【図５８】線形結像変換を実施した後に得られるマスクｂとマスクＣとの重ね合わせ誤差の概略図である。
【図５９】マスクＢとマスクＣの間の重ね合わせを改善する計算補正書込マップの図である。
【図６０】マスクＢがマスクＣに対して最適化された後の残留重ね合わせ誤差の概略図である。
【図６１ａ】マスクＢに対する計算重ね合わせ補正書込マップの図である。
【図６１ｂ】マスクＣに対する計算重ね合わせ補正書込マップの図である。
【図６２】線形結像変換を実施した後のマスクＢとマスクＣとの模擬残留重ね合わせ誤差の概略図である。
【発明を実施するための形態】
【００７３】
本明細書のこの部分は、以下の通りに編成され、すなわち、フォトリソグラフィマスクに関する一部の技術用語及び一部の問題の紹介で始まり、次に、これらの問題を補正するのに使用される装置を説明する（「フォトリソグラフィマスク及びレーザ系」）。次に、「位置合わせ問題」という名称の第２の部分では、主にフォトリソグラフィマスクの位置合わせ誤差を補正するために本発明の方法を適用する。「ＣＤＵ問題」という名称の第３の部分は、主に限界寸法均一性（ＣＤＵ）問題を補正するための本発明の原理の適用を解説する。更に、「重ね合わせ問題」という名称の第４の部分では、マスクのスタック内の異なるフォトリソグラフィマスクの間の重ね合わせ問題を最小にするために本発明の方法を使用する。最後に、この節にある様々な例の解説に必要な本発明の方法の理論的及び／又は数学的な背景を「理論的背景」という名称の独立した節において提供する。
【００７４】
５．１．フォトリソグラフィマスク及びレーザ系
以下では、本発明の例示的な実施形態を示している添付の図を参照して本発明をより完全に説明する。しかし、本発明は、異なる形態に実施することができ、本明細書に示す実施形態に限定されると解釈すべきではない。より正確には、これらの実施形態は、本発明の開示が完全になり、本発明の範囲を当業者に伝達するように提供するものである。
【００７５】
図１は、透過フォトリソグラフィマスク１００の概略断面図を表す。マスク１００は、第１の面又は前面１３０及び第２の面又は後面１４０を有する基板１１０を含む。基板１１０は、ウェーハ上のフォトレジストの照明に使用される波長に対して透過的でなければならない。露光波長は、電磁スペクトルの深紫外（ＤＵＶ）スペクトル範囲にあるもの、特に、１９３ｎｍ前後のものとすることができる。基板材料は、一般的に石英を含む。基板は、１５２ｍｍ×１５２ｍｍの一般的な横方向寸法及び基本的に６．３５ｍｍの厚み又は高さを有する。フォトリソグラフィマスク１００の基板１１０は、その前面１３０上に通常はクロムから製作されるパターン要素１２０を有し、パターン要素１２０は、フォトレジスト上に所定の構造要素を形成し、この構造要素から半導体素子が製造される。フォトリソグラフィマスク１００の基板１１０のパターン要素１２０を保持する部分をマスクの活性区域１５０と呼び、それに対してパターン要素１２０を持たない境界部分を不活性区域１６０と呼ぶ。基板１１０の第２の面又は後面１４０を通じて、露光波長のレーザビームがマスク１００の基板１１０を照明する。
【００７６】
図２ａは、電磁スペクトルの極紫外（ＥＵＶ）スペクトル範囲での将来の使用、特に、約１３．５ｎｍの露光波長に使用するための反射フォトリソグラフィマスク２００の概略断面図を示している。図１のフォトリソグラフィマスク１００とは異なり、マスク２００は、多層ミラー構造に基づく反射光学要素である。フォトリソグラフィマスク２００の多層ミラー系は、溶融シリカ基板のような適切な基板２１０の基板前面２３０上に堆積される。例えば、ＺＥＲＯＤＵＲ（登録商標）、ＵＬＥ（登録商標）、又はＣＬＥＡＲＣＥＲＡＭ（登録商標）のような他の透過誘電体、ガラス材料、又は半導体材料をＥＵＶフォトリソグラフィマスクのための基板として適用することができる。
【００７７】
多層ミラー系は、交替するモリブデン（Ｍｏ）層２５０とシリコン（Ｓｉ）層２６０との４０個の対を含む。各Ｍｏ層２５０の厚みは、４．１５ｎｍであり、Ｓｉ層２６０の厚みは、２．８０ｎｍである。多層構造を保護するために、深さ７ｎｍの自然酸化物を有するシリコンのキャップ層２７０が、構造の最上位に配置される。この多層ミラー系では、Ｍｏ層２５０は散乱層として機能し、それに対してシリコン層２６０は、分離層として機能する。フォトリソグラフィマスク２００は、多層系の最上位に、シリコンのキャップ層２７０、パターン要素としてのバッファ構造２８０、及び吸収構造２９０を有する。
【００７８】
図２ｂは、ウェーハ上にパターン要素を転写するナノインプリントリソグラフィに使用されるテンプレート２９５を略示している。テンプレート２９５は、ＵＶ及びＤＵＶスペクトル範囲で透過的な材料を含み、多くの場合に、テンプレート材料として溶融シリカが使用される。テンプレート前側２９６上のパターン要素は、図１のフォトリソグラフィマスク１００のパターン要素１２０の製作と非常に類似した工程において製作される。従って、本発明の原理は、ナノインプリントリソグラフィに使用されるテンプレートの様々な種類の誤差を補正するために適用することができる。テンプレート２９５は、テンプレート後側２９７を通じて電磁放射線２９８によって照明される。
【００７９】
図３は、図１及び図２ａのフォトリソグラフィマスク１００及び２００の誤差、更には図２ｂのテンプレート２９５の誤差を補正するのに使用することができる装置３００の略ブロック図を示している。装置３００は、３次元で可動とすることができるチャック３２０を含む。フォトリソグラフィマスク３１０は、例えば、圧着のような様々な技術を用いてチャック３２０に固定することができる。フォトリソグラフィマスク３１０は、基板後面１４０又は２４０が対物系３４０に向くように構成されたフォトリソグラフィマスク１００又は逆さまに装着されたフォトリソグラフィマスク２００とすることができ、又は図２ｂのテンプレート２９５とすることができる。
【００８０】
装置３００は、パルス又は光パルスのビーム又は光ビーム３３５を生成するパルスレーザ源３３０を含む。レーザ源３３０は、可変持続時間の光パルスを生成する。パルス持続時間は、１０ｆｓ程度の短いとすることができるが、１００ｐｓまで連続して増加させることができる。パルスレーザ源３３０によって生成された光パルスのパルスエネルギも、パルス当たり０．０１μＪからパルス当たり１０ｍＪに至るまで広い範囲にわたって調節することができる。更に、光パルスの繰返し数は、１Ｈｚから１００ＭＨｚまでの範囲を含む。好ましい実施形態では、光パルスは、８００ｎｍの波長で作動するＴｉ：サファイアレーザによって生成することができる。しかし、以下に説明する方法は、このレーザ方式に限定されず、原理的に、フェムト秒範囲の持続時間を有するパルスを生成することができて、フォトリソグラフィマスク３１０の基板に対するバンドギャップよりも小さい光子エネルギを有する全てのレーザ方式を使用することができる。従って、例えば、Ｎｄ−ＹＡＧレーザ系又は色素レーザ系を適用することができる。
【００８１】
装置３００は、１つよりも多くのパルスレーザ源３３０（図３には示していない）を含むことができる。
【００８２】
以下の表は、本発明の方法の実施形態に使用される周波数二倍化Ｎｄ−ＹＡＧレーザ系のレーザビームパラメータの概要を表す。
【００８３】
（表１）
0005883249.tif 000047
【００８４】
以下の表は、フォトリソグラフィマスク１００の基板１１０の密度及び／又は光透過率分布に個別に影響を与えるパラメータを示している。表２は、標準プロセスウィンドウ（ｓｔｄ  ＰＷ）と呼ぶピクセルを導入又は書き込むモードにおいて周波数二倍化Ｎｄ−ＹＡＧレーザ系を使用する実施形態のパラメータを提供している。
【００８５】
（表２）
0005883249.tif 000048
【００８６】
表３は、ここでもまた、周波数二倍化Ｎｄ−ＹＡＧレーザ系を使用する実施形態の低位置合わせプロセスウィンドウ（ＬｏｗＲｅｇ  ＰＷ）と呼ぶモードのパラメータを要約している。レーザ系３３０のこの動作モードは、ｓｔｄ  ＰＷよりも低いエネルギを有する光パルスを使用するが、より高いピクセル密度を導入する。
【００８７】
（表３）
0005883249.tif 000049
【００８８】
以下の表は、レーザ系３３０の光パルスのエネルギを更に低減することによって特徴付けられる位置合わせなしプロセスウィンドウ（ＮｏＲｅｇ  ＰＷ）と呼ぶモードにおけるパラメータを列記している。
【００８９】
（表４）
0005883249.tif 000050
【００９０】
表５は、ピクセルなしプロセスウィンドウ（ｐｉｘｅｌｌｅｓｓ  ＰＷ）と呼ぶモードのパラメータを提供している。この場合、Ｔｉ：サファイアレーザ系は、密度及び／又は光透過率分布の修正に使用される。このレーザ系は、約８００ｎｍの放出波長のフェムト秒レーザパルスを生成する。ｐｉｘｅｌｌｅｓｓ  ＰＷのパルス密度は非常に高い。
【００９１】
（表５）
0005883249.tif 000051
【００９２】
誘導ミラー３９０は、パルスレーザビーム３３５を集束対物系３４０内に向ける。対物系３４０は、パルスレーザビーム３３５を基板後面を通じてフォトリソグラフィマスク３１０の基板内に集束させる。適用される対物系のＮＡ（開口数）は、焦点の所定のスポットサイズ、及び基板後面に対するフォトリソグラフィマスク３１０の基板内の焦点の位置に依存する。表１に示しているように、対物系３４０のＮＡは、０．９までのものとすることができ、その結果、基本的に１μｍの焦点直径及び基本的に１０20Ｗ／ｃｍ2の最大強度がもたらされる。
【００９３】
装置３００は、（ｘ方向及びｙ方向）の平面内でのサンプルホルダ３２０の２軸位置決め台の平行移動を管理するコントローラ３８０及びコンピュータ３６０も含む。コントローラ３８０及びコンピュータ３６０は、対物系３４０が固定された１軸位置決め台３５０によるチャック３２０の平面に対して垂直な（ｚ方向）対物系３４０の平行移動も制御する。装置３００の他の実施形態では、フォトリソグラフィマスク３１０を目標位置に移動させるためにチャック３２０に３軸位置決め系を装備することができ、対物系３４０を固定することができ、又はチャック３２０を固定することができ、対物系３４０を３次元で可動とすることができることに注意すべきである。経済的ではないが、対物系３４０とチャック３２０の両方に３軸位置決め系を装備するように考えることができる。フォトリソグラフィマスク３１０のパルスレーザビーム３３５の目標位置へのｘ、ｙ、及びｚ方向の移動のために手動位置決め台を使用することができ、及び／又は対物系３４０は、３次元移動のための手動位置決め台を有することができることに注意すべきである。
【００９４】
コンピュータ３６０は、マイクロプロセッサ、汎用プロセッサ、専用プロセッサ、ＣＰＵ（中央演算処理装置）、ＧＰＵ（グラフィック処理ユニット）などとすることができる。コンピュータ３６０は、コントローラ３８０に配置することができ、又はＰＣ（パーソナルコンピュータ）、ワークステーション、メインフレームのような別々のユニットとすることができる。更に、コンピュータ３６０は、キーボード、タッチパッド、マウス、ビデオ／グラフィックディスプレイ、プリンタのようなＩ／Ｏ（入力／出力）ユニットを含むことができる。更に、コンピュータ３６０は、揮発性及び／又は不揮発性のメモリを含むことができる。コンピュータ３６０は、ハードウエア、ソフトウエア、ファームウエア、又はこれらのあらゆる組合せで達成することができる。更に、コンピュータ３６０は、レーザ源３３０を制御することができる（図３には示していない）。
【００９５】
更に、装置３００は、チャック３２０に配置された光源からダイクロイックミラー３４５を通じて光を受光するＣＣＤ（電荷結合デバイス）カメラ３６５を含む閲覧系を設けることができる。閲覧系は、フォトリソグラフィマスク３１０の目標位置へのナビゲーションを容易にする。
【００９６】
更に、閲覧系は、レーザ源３３０のパルスレーザビーム３３５によるフォトリソグラフィマスク３１０の基板後面上の修正区域の形成を観察するのに使用することができる。
【００９７】
以下では、様々な誤差又は欠陥を図１の透過フォトリソグラフィマスク１００に基づいて解説する。当業者は、この解説を図２の反射フォトリソグラフィマスク２００及び図２ｂのテンプレート２９５に適応させることができることを認めるであろう。小さいパターン要素１２０と、所定の構造要素をフォトリソグラフィマスク１００からウェーハ上のフォトレジスト内に変換するのに使用される短い露光波長とに起因して、フォトリソグラフィ工程は誤差を受け易い。いくつかの誤差発生源が存在する。フォトリソグラフィマスク１００の基板１１０は、欠陥を有する場合があり、例えば、基板は、僅かに湾曲している場合があり、又は基板１１０のＤＵＶ放射線に対する透過性は、マスク１００の区域又はその像視野にわたって僅かに異なる場合がある。これらの影響は、フォトレジスト上に入射する光学強度の変動をフォトリソグラフィマスク１００の像視野にわたってもたらす。フォトレジストに局所的に印加される光子数の変動は、現像されたフォトレジスト内のパターン要素１２０の像の変動を像視野にわたってもたらす。既に上述のように、そのような変化を限界寸法均一性（ＣＤＵ）と呼ぶ。
【００９８】
ＣＤＵの増大をもたらすフォトリソグラフィマスク１００の活性区域１５０にわたる光学強度変化の影響を定量化するために、基本的に２つの量が使用される。パターン要素１２０のその所定の公称寸法に対する最大偏位は、示すことができる。最大偏位は、適切な統計基盤を生成するために多くの測定値（通常は数百）から判断される。代替的に、生成されたパターン要素寸法の偏位又は限界寸法（ＣＤ）変化は、ガウス分布に従うように考えられている。この場合、ＣＤＵを定量化するのにガウス分布の標準偏差σ、特に、その３σ値が使用される。
【００９９】
フォトリソグラフィマスク１００の誤差は、パターン要素１２０のうちの一部が、正確にそれらの所定の位置にない場合にも生じる場合がある。これらのパターン要素によってウェーハ上のフォトレジスト内に生成される構造は、正確に所定の構造に対応しない場合があり、及び／又は正確にフォトレジスト内の所定の位置に生成されない場合がある。この方式の誤差を位置合わせ誤差と呼ぶ。位置合わせ誤差の量を示す上で、前の段落で説明した量（最大偏位又は分布の３σ値）を使用することができる。フォトリソグラフィマスク１００の活性区域１５０にわたる位置合わせ誤差の分布は、通常は矢印の２次元（２Ｄ）マップによって例示され、この場合、矢印の方向は、パターン要素がその公称位置に対してシフトされる方向を示し、矢印の長さはシフト量を示している。
【０１００】
フォトリソグラフィマスク１００をフォトレジスト上に結像する光学系は、その解像度限界の近くで作動するので、完全なフォトリソグラフィマスク１００にわたって歪曲、強度変化を生成し、更には結像誤差を生成する場合もある。フォトリソグラフィ系の光学要素の欠陥は、フォトリソグラフィマスク１００の誤差に加算される。更に、ウェーハ上のフォトレジストは、完全ではない場合もあり、フォトリソグラフィマスク１００の問題及びフォトリソグラフィ照明系の構成要素の問題を拡大する場合がある。
【０１０１】
以下では、フォトリソグラフィマスク１００に関する結像誤差及びフォトリソグラフィ照明系の光学要素の結像誤差を最小にする本発明の方法の適用に関する数々の例を説明する。しかし、当業者は、本発明の方法を反射フォトリソグラフィマスク２００及びそれぞれのフォトリソグラフィ照明系の誤差を補正するために適用することができることを認めるであろう。更に、当業者は、本発明の方法を図２ｂのテンプレート２９５の誤差を補正するのに使用することができることを認めるであろう。
【０１０２】
本発明の方法の理論的及び／又は数学的な背景を「理論的背景」という後の節に提供する。様々な例の解説中には、その節で定める式を参照する。
【０１０３】
５．２．位置合わせ問題
図４は、初期のマスク位置合わせ問題をパターン要素１２０のそれらの所定の位置からの変位セットとして矢印の２Ｄマップの形態で提供している。変位問題は、フォトリソグラフィマスク１００の活性区域１５０、すなわち、ウェーハ上に配置されたフォトレジスト内に印刷されるパターン要素１２０を含む区域内でのみ定義される。数学的問題の一般的な定式化は、目的汎関数にあらゆる位置を含めることを可能にする。この目的汎関数は、「理論的背景」という後の節の式３８にその一般的な形式で定義している。その節で解説するように、目的汎関数は、最適化工程内に線形結像変換を含めるために６つのパラメータを含む。
【０１０４】
図４の初期位置合わせ問題は、パターン要素１２０の判断された位置のそれらの目標位置に対する偏位（ガウス分布の３σ数値）によって特徴付けることができる。図４のフォトリソグラフィマスクでは、その所定の位置からの偏位の３σ数値は、１５．８ｎｍである。これは、フォトリソグラフィ工程においてマスクの適用を大きく困難にする場合がある大きい値である。「理論的背景」という後の節で解説しているように、スキャナは、フォトリソグラフィマスク１００の照明の前に線形結像変換を実施することによって位置合わせ問題を部分的に解決することができる。最良のスキャナ補正の適用後の残留位置合わせ問題を特徴付けるためには、線形結像変換を仮想的に実施した後に位置合わせ問題のマグニチュードを計算する必要がある。以下では線形結像変換をスケーリング及び直交性（Ｓ／Ｏ）補正とも呼ぶ。図４の例では、ここでもまた、偏位の３σ数値で示されるＳ／Ｏ補正の後の残留位置合わせ誤差は、１０．９ｎｍである。
【０１０５】
図５は、線形結像変換又はＳ／Ｏ補正によって補正された位置合わせ誤差を除去した後の残留位置合わせ誤差を提供している。１１ｎｍ程度の位置合わせ問題を有するフォトリソグラフィマスクは、限界３ｘノード層に関する一般的な仕様を満たさず、恐らくは拒否されることになり、この場合、３ｘは、３０〜３９ｎｍノード、特に３２ｎｍノードの一般的な表記である。
【０１０６】
本発明の方法によって得られる改善を明らかにするために、ここで、式３８の目的汎関数（ζiに式３１を用いて）を単一のレーザビームパラメータセット又は単一の書込モード：
0005883249.tif 000052
に対して解く。この場合、式３８は、次式のように書き直すことができる。
0005883249.tif 000053
又は、
0005883249.tif 000054
【０１０７】
レーザビームによってフォトリソグラフィマスクの基板内に誘起される全ての変形特性は、行列Φiαに要約される。
【０１０８】
式４１の数学的問題は、２次形式の最適化問題である。最適な収束は、共役勾配法を使用することによって得ることができる。書込密度振幅に対する式３９の拘束条件（０＜ａm＜（ａthres）m）は、立方体ドメイン内で最良の解を求めるように強制する。式４１の最適化手順中に式３９の拘束を考慮するために、修正を加えなければならない。下降方向の計算及び反復が、外向きドメイン区域を招く場合には、ドメインの境界に対して垂直な方向に成分を切断すべきである。しかし、これは、計算時間に影響を与えない高速な演算である。
【０１０９】
式４１の最適化の実行は、レーザビーム３３５をフォトリソグラフィマスクの基板上に局所的に向けるための提案補正マップをもたらす。この補正マップを図５に示している。レーザビーム３３５は、マスク基板内にピクセルを「書き込む」ので、以下では、レーザビーム３３５のための補正マップを補正書込マップとも呼ぶ。
【０１１０】
フォトリソグラフィマスクの基板内に書き込まれるピクセルの密度は、フォトリソグラフィマスクを照明するために使用される光学強度の光透過率変化のパーセントで表されるか、又はより厳密には、マスク基板内に導入された又は書き込まれたピクセルによってもたらされる照明減衰率のパーセントで表される。位置合わせ誤差の補正のために書き込まれるピクセルによって可能になる最大減衰率は３％である。図６の補正書込マップに必要とされる照明波長における光学強度の平均減衰率は、１．３％である。図６から分るように、フォトリソグラフィマスクの活性区域と不活性区域の両方が、図４の位置合わせ問題の補正のために使用される。
【０１１１】
シミュレーションを実施することにより、線形結像変換によって補正することができる位置合わせ誤差の除去の後に得られる偏位の３σ数値が６．４ｎｍになることを予測することができ、これは、図５に対して約４１％の改善率である。図５では、図４の位置合わせ誤差の一部分は、線形結像変換を実施することによって補正済みである。
【０１１２】
最適化された線形結像変換に関するパラメータは、式４１の最適化から同時に得られる。６つの線形結像変換パラメータにおける数値を以下の表に提供する。
【０１１３】
（表６）
0005883249.tif 000055
【０１１４】
図７は、表６に示すパラメータを用いて線形結像変換を実施することによって補正することができる位置合わせ誤差を除去した後に得られる模擬位置合わせ誤差を示している。
【０１１５】
次の段階では、図４のフォトリソグラフィマスクの位置合わせ誤差が最小にされるようにフォトリソグラフィマスクの基板内にピクセルを局所的に書き込むために、式４１の最適化手順から判断されたレーザビームパラメータがレーザ源３３０によって使用される。既に示すように、最適化されたレーザビームパラメータは、補正書込マップに配置することができる。
【０１１６】
図８は、図６の補正書込マップの最適化済みレーザビームパラメータを使用することによって図４のマスクの誤差問題を補正した後の計測位置合わせ誤差を示している。分布の３σ数値で示す計測残留位置合わせ誤差は、７．１ｎｍであり、これは、線形結像変換のみを実施するのに対して（図５を参照されたい）約３５％の改善率である。
【０１１７】
図９は、予測位置合わせ誤差補正と計測位置合わせ誤差補正の間の差を示している。この比較は、式４１の最適化から得られる誤差補正の改善率を実際に達成することができることを明らかにしている。得られた図４の位置合わせ問題の改善率は、フォトリソグラフィマスクを限界３ｘノード層に関する一般的な仕様範囲内に収める。
【０１１８】
本発明の方法の適用に関する第２の例では、フォトリソグラフィマスク内の位置合わせ誤差は、フォトリソグラフィマスク１００の基板１１０の活性区域１５０内にレーザビーム３３５を向けることなしに補正される。この拘束条件は、位置合わせ誤差の補正が、マスク１００の活性区域１５０内に新しいＣＤＵ誤差を招くことを阻止する。レーザビーム３３５を向けることなしに、又はフォトリソグラフィマスク１００の活性区域１５０内にピクセルを書き込むことなしに、位置合わせ問題の可能な最良の改善率を得るように目的を定式化することができる。式４１に定義される最適化問題の項では、いくつかの最適化パラメータａlmにゼロ値を割り当て、これらの項を最適化アルゴリズムから排除することは問題ではない。誤差補正手順においてレーザビーム３３５をマスク基板１１０の限られた区域内にのみ向けることが上述の拘束条件を持たないことよりも影響が低いことは明らかである。更に、ピクセルを書き込むことができる区域は、欠陥を有する区域から遠い場合があるから、誤差補正も同様に影響が低い。一方、レーザビーム３３５をフォトリソグラフィマスク１００の不活性区域１６０上に向けることによって生じる光透過率変化にはいかなる制限も存在しない。この利点は、上述の欠点を部分的に補償することができる。
【０１１９】
先の例では、合計変位の３σ数値を最適化した。殆どの場合、フォトリソグラフィマスクの製造業者は、線形結像変換を実施した後に、ｘ方向又はｙ方向の最大許容偏位（３σ数値）を示すことによって自らのマスクの特性を指定する。以下では、この仕様をＸ／Ｙ仕様と呼ぶことにする。Ｘ／Ｙ仕様特性の最適化は、目的汎関数内に不連続条件を含めることを必要とし、それによって最適化問題の解はより複雑になる。従って、ここでは、フォトリソグラフィマスク１００の活性区域１５０内にピクセルを書き込まないという条件を満たすために、別の方法を提供することにする。所定の方法は、式４１の目的汎関数内の
0005883249.tif 000056
変位の異なる成分に異なる重みパラメータｗiを割り当てることになる。偶数のインデックスｉを有する重み付けパラメータｗ2*iは、パターン要素のｘ方向の変位を制御することを可能にし、奇数のインデックスｉを有する重み付けパラメータｗ2*i+1は、パターン要素のｙ方向の変位を制御する。式４１の目的汎関数は、重み付けパラメータｗiの導入の後に次式に変形される。
0005883249.tif 000057
【０１２０】
ｗiを判断するのに必要とされる最適化手順を実行する方法を図１０に提供する。本方法は、ブロック１０００で始まる。ブロック１０１０では、重み付けパラメータｗ0＝０及びその変動限界：
0005883249.tif 000058
及び
0005883249.tif 000059
並びに
0005883249.tif 000060
及び
0005883249.tif 000061
が定義される。ブロック１０２０で反復インデックスｋを定めた後に、１０３０においてｘ方向及びｙ方向における重み付けパラメータの一般的な形式が定義される。ブロック１０４０では、式４２内に定義される目的汎関数が最小にされる。判断ブロック１０５０では、生じる変位φiが、所定の仕様制限φthresを超えたか否かが判断される。この条件が満たされた場合には、ブロック１０６０において、この時点での重み付けパラメータ：
0005883249.tif 000062
及び
0005883249.tif 000063
が、重み付けパラメータｗx及びｗyに対する解とされ、本方法は、ブロック１０７０で終了する。この条件が満たされなかった場合には、ブロック１０８０において、どの方向が線形結像変換によって補正することができる誤差の補正の後に得られる変位変化の最大偏位（３σ数値）を有するかが判断される。次に、判断ブロック１０９０において、この方向が、同様に判断ブロック１０５０の変位条件を満たすか否かが判断される。この判断が真である場合には、ブロック１１００において、この時点での重み付けパラメータ：
0005883249.tif 000064
及び
0005883249.tif 000065
が、重み付けパラメータｗx及びｗyに対する解とされ、本方法は、ブロック１０７０で終了する。この判断が正しくなかった場合には、判断ブロック１１１０において、最大３σ値を有する方向（最悪の方向）がｘ方向又はｙ方向のいずれであるかが判断される。ブロック１１２０では、最悪の方向がｘ方向であった場合の反復インデックスｋ＋１に対する重み付けパラメータが定義され、ブロック１１３０では、最悪の場合の方向がｙ方向であった場合の反復インデックスｋ＋１に対する重み付けパラメータが定義される。次に、本方法は、ブロック１０３０に戻り、ブロック１０４０において、修正された重み付けパラメータを用いて式４２の目的汎関数が再度解かれる。
【０１２１】
図１１ａは、マスク１００の活性区域１５０内の位置合わせ誤差の補正のために使用されるレーザビーム３３５を向けずに位置合わせ誤差を補正することに関するこの第２の例の根底にある位置合わせ問題を示している。図１１ｂは、線形結像変換を実施した後の残留位置合わせ問題を表す。図１１ａの位置合わせ問題の計測３σ数値は、ｘ方向において９．７３ｎｍ、ｙ方向において８．５２ｎｍであり、絶対ｘｙ変位では１２．９ｎｍである。線形結像変換を実施することによって位置合わせ誤差の一部分を補正した後に、残留位置合わせ問題の３σ数値は、ｘ方向において６．９ｎｍ、ｙ方向において８．１ｎｍであり、それによってｘｙ変位において１０．６ｎｍが得られる。位置合わせ誤差のこのマップを図１１ｂに示している。
【０１２２】
レーザビーム３３５は、フォトリソグラフィマスクの基板の不活性部分内にしかピクセルを書き込まないので、ピクセルによって基板内に生じる光学強度のより大きい減衰率を許容することができる。図１２に表す補正書込マップでは、光透過率変化が１０％に制限されている。図１２は、この第２の例の問題の解を書込密度マップの形式で示している。図１２の書込密度マップは、図１０の最適化ループを１回だけ通過することによって得られたものである。
【０１２３】
図１３は、線形結像変換と、補正ピクセルを書き込むためにフォトリソグラフィマスクの不活性区域上にレーザビーム３３５を向ける段階との両方の適用後の図１１ａの模擬残留位置合わせ問題を示している。得られる３σ数値によって特徴付けられる推定残留位置合わせ問題は、ｘ方向において５．９ｎｍ、ｙ方向において７．３ｎｍであり、絶対変位において９．３７ｎｍである。この結果は、ｘ方向において１４．５％の改善率をｙ方向の変位において９．９％の位置合わせ誤差の改善率をもたらし、従って、Ｘ／Ｙ仕様では９．９％の改善率しかもたらされず、絶対変位では１１．８％の改善率をもたらす。この補正は、ｘ方向においてより良好な結果を生み、Ｘ／Ｙ仕様の改善率を決めることに注意すべきである。
【０１２４】
図１４は、最適化ループを数回通過することによる書込密度マップに対する解を示している。図１４は、図１２に対して、特にｙ方向に関して有意な書込密度マップ変化を示している。
【０１２５】
図１５は、線形結像変換を実施した後の図１０に記載の繰返し最適化工程における残留位置合わせ誤差を表す。最適化された補正工程を実施した後に残留するここでもまた３σ数値によって特徴付けられる推定残留位置合わせ誤差は、ｘ方向において６．８ｎｍ、ｙ方向において６．８ｎｍであり、絶対変位では９．７ｎｍである。この結果は、ｘ方向において１％の改善率、及びｙ方向において１５．５％の変位誤差の改善率をもたらし、従って、Ｘ／Ｙ仕様において１５．０％の改善率、及び絶対ＸＹ変位では９％の改善率をもたらす。この場合、得られる残留位置合わせ誤差に関する３σ数値は、ｘ方向とｙ方向の両方において同じ数値を有する。これは、図１０の方法が、ｘ方向における位置合わせ誤差を劣化することなく、図１１の例ではｙ方向である最悪の方向を大きく改善することを明らかにしている。
【０１２６】
フォトリソグラフィマスクの不活性区域内にピクセルを書き込むだけで、場合として１５％のＸ／Ｙ仕様の改善率が得られることに注意すべきである。この結果は、書込レーザビームによってもたらされる高レベルの許容減衰率の結果である。１０％に達する光透過率変化は、マスクの基板内にいくつかの局所亀裂を誘起する場合があるから、比較的過激である。マスク損傷の危険性を回避するために、ピクセルは、各々が必要な数の２分の１のピクセルを含む２つの異なる層でマスク基板内に書き込まれる。
【０１２７】
図１６は、線形結像変換と、マスク基板の不活性区域内に２層でピクセルを書き込む段階との両方の適用後の図１１の計測残留位置合わせ問題を提供している。計測結果は、Ｘ／Ｙ仕様において１０．１％の改善率を示しており、これは、図１５の状況で解説したように１５％であるシミュレーションによって予測された値よりも小さい。計測結果の分析は、マスク基板内にピクセルを書き込むために適用されたレーザビームパラメータとシミュレーションに使用されたものとが大きく異なっていたことを示している。実験は、レーザビーム３３５に関する書込条件と環境条件とが完全には維持されない実験室条件の下に実施された。レーザビーム３３５の較正から位置合わせ誤差の補正のためのピクセル書込までにかなりの期間が経過した。それによって較正されたレーザビームパラメータと実際に適用されたレーザビームパラメータの間に偏位が向けられた。産業環境では、レーザビームパラメータは、より良好に制御されることになる。産業環境では、レーザビームパラメータ又は書込モード署名を更新するために、補正ピクセル書込のあらゆる結果を使用することができる。レーザビームパラメータは、レーザビーム３３５を用いてマスク基板内に書き込まれるピクセルの方式に独特のものであるから、以下では、レーザビームパラメータを書込モード署名又はモード署名を略してＭＳとも呼ぶ。ＭＳは、式２９の垂直方向の変形要素：
0005883249.tif 000066
によって表される。
【０１２８】
Ｘ／Ｙ仕様を最適化する方法は、例えば、１つだけの位置合わせ限界方向又は得られる変位の最大値のようなあらゆる特定の目的に対して最適化する手法を示している。この最適化工程は、式４２の形式にある目的汎関数の反復解により、更に付加的に重みパラメータの最適化工程の制御によって実施することができる。
【０１２９】
１つだけのレーザビームパラメータセット又は１つだけの書込モードを用いた位置合わせ誤差の補正は、限られた効率しか持たない。１つの書込モードは、マスク基板のあらゆる点において１つだけの種類又は１つだけの方式の変形しか生じず、その振幅しか変化させない。いくつかの書込モードセット又は異なるレーザビームパラメータセットを使用することにより、マスク基板のあらゆる点において異なる種類又は方式の変形を得るように異なる書込モードを組み合わせることが可能になる。
【０１３０】
レーザビーム３３５のパラメータ値は、例えば、レーザ源３３０の老朽化、レーザビーム３３５の本質的な時間的ばらつきに起因して、更にはこれらのばらつきの温度、圧力、及び湿度のような環境パラメータへの依存性の理由から絶えず変化するので、レーザビームパラメータ又は書込モードは厳密に制御することができない。これらのばらつきは、誤差補正の精度及びピクセル書込工程の再現性を制限する。数学的な観点からは、それによって最適化空間における自由度が制限される。
【０１３１】
書込モードセットが利用可能であり、いずれかの書込モードが、ピクセルがマスク基板内にもたらす変形において異なる場合には、個々のピクセルによってもたらされる全体的な変形を制御することにおいて得られる効率は、有意に高いとすることができる。この影響を非常に簡単な例を用いて明らかにする。
【０１３２】
個々のピクセルの生じた変形の本来の非対称性を有利に使用することができる。この目的のために、同じ書込条件が使用されることになるが、フォトリソグラフィマスクは、個々のピクセルの変形の異なる向きを実質的に得るために、ある一定の角度だけ回転されることになる。フォトリソグラフィマスクを９０°だけ回転するのは非常に簡単であり、その結果、レーザビーム又はレーザビームパラメータのいかなる修正もなしに、レーザビームの１つの付加的な書込モードが実質的に得られる。２つの書込モードは明確に定義され、従って、マスク基板上に明確に定義された書込モード署名を有する。
【０１３３】
図１７は、それぞれ０°モード署名及び９０°モード署名を有する非回転レーザビーム３３５及び９０°回転されたレーザビームとが使用されるこの例に関するモード署名を示している。この図は、レーザビーム３３５のＭＳ（モード署名）を提供している。既に上述のように、２Ｄモデルでは、変形要素：
0005883249.tif 000067
は、５つが独立成分である８つの成分を有する。５つの独立成分のうちの３つのみがバルクポテンシャルエネルギに影響を与え、従って、レーザビーム３３５によって生じる変形の本説明において重要である。
0005883249.tif 000068
の関連する独立成分を提供するために、これらの成分を基本区域αの実質的な変形を実際に示す
0005883249.tif 000069
を用いて変形する。図１７は、要素区域α（黒色の正方形）上にレーザビームを向ける前の初期要素区域αを示している。赤い平行四辺形は、
0005883249.tif 000070
の３つの成分だけがゼロとは異なる数値を有する得られる正規化要素区域を表す。灰色の平行四辺形は、独立パラメータセットの全ての５つのパラメータを用いた得られる正規化要素区域である。
【０１３４】
図１８ａは、誤差補正工程において２つの異なる書込モードのレーザビーム３３５を使用する影響を明らかにするために適用した計測初期マスク位置合わせ問題を示している。図１８ａに提供した位置合わせ問題は非常に無秩序な性質を有し、１つのピクセル書込モードしか用いない補正は、この無秩序な性質を２２％よりも大きく改善することを可能にしない。これは、このフォトリソグラフィマスクを限界３ｘ層に対する一般的な仕様範囲に収めるには十分ではない。図１８ｂは、線形結像変換を実施した後の図１８ａのマスク位置合わせ問題を示している。
【０１３５】
式３８を解くことにより、０°書込モード署名及び９０°書込モード署名を有する書込モードにおける２つのマップが得られる。
【０１３６】
図１９ａは、０°書込モード署名に対する提案補正書込マップを示し、図１９ｂは、９０°書込モード署名に対する提案補正書込マップを示している。書込ピクセル密度の和又は両方の書込モードにおける光学強度の減衰率を５％に制限する条件が式３８に付加されている。図２０は、図１９ａと１９ｂの両方のモードが加算された場合の補正書込マップを示している。両方のモードにおいて、ピクセルがマスク基板の活性区域、並びに不活性区域内に書き込まれていることに注意すべきである。
【０１３７】
図２１ａは、図１９ａに示している０°書込モード署名を適用することによる位置合わせ補正によって生じる変化を示している。更に、図２１ｂは、図１９ｂの９０°書込モード署名を用いた場合の誤差補正によって生じる変化を示している。最後に図２１ｃは、図２０の組合せ書込補正マップを用いて模擬した位置合わせ補正変化を提供している。
【０１３８】
図２１ａは、０°書込補正マップがｙ方向により大きいシフトを生じることを示しており、それに対して図２２ｂは、９０°書込補正マップがｘ方向により大きく生じたシフトをもたらすことを示している。この発見は、図１７のこれらのモードにおける書込モード署名の図と一致する。
【０１３９】
図２２ａには、図１８ａの位置合わせ問題に対する両方のレーザ書込モードの組合せ作用の予測を表しており、図２２ｂは、線形結像変換を実施した後の図１８ａの残留位置合わせ誤差を示している。
【０１４０】
シミュレーション結果は、光学強度の最大許容減衰率が５％に制限された場合に、４３％の位置合わせ誤差の低減を得ることができることを示している。これは単一モードの代わりに２つの書込モードのレーザビームを用いた場合に、位置合わせ誤差補正の量をほぼ二倍にすることができることを意味する。この改善率は、フォトリソグラフィマスクを確実にＸ／Ｙ仕様範囲内に収める。
【０１４１】
図２３には、図１８ｂの位置合わせ問題の計測改善率を示している。図１８ｂの位置合わせ誤差は、３５％だけ減少しており、これは、前節で解説した模擬改善率よりもやや小さい。
【０１４２】
この例は、位置合わせ誤差の補正のためにピクセルを書き込む場合のマルチモード方式の高い効率を証明している。フォトリソグラフィマスク及び／又はレーザビームの９０°の回転は、通常の限界寸法補正（ＣＤＣ）ツール上に実施することができるマルチモード補正の有利な簡素化である別の有利な方式を定めることを可能にする。いくつかの書込モードの導入もまた、誤差補正機能の有意な拡張をもたらすことができるが、この拡張は、レーザビーム３３５に対する高度な制御系を有する専用位置合わせ制御（ＲｅｇＣ）ツールの開発を必要とする。
【０１４３】
以下では、位置合わせ補正のためにマスク基板内にピクセルを導入する場合に、ＣＤ又は光学減衰率を制御することができることを明らかにする。第１の例は、いかなる有意なＣＤ問題も存在しないか、又はＣＤ情報が利用可能ではない場合に有利である。ＣＤ制御の理論から、ピクセル書込がフォトリソグラフィマスクの基板内に一定の遮蔽密度を導入する場合はＣＤ分布は変化しないことになることは公知である。従って、複数のレーザビームパラメータ又は複数の書込モードでピクセルを書き込むために、全ての書込モードにおける全ての書込密度の和がフォトリソグラフィマスクの活性区域にわたって一定であることを保証する１つの追加条件又は拘束条件を添えてレーザビーム３３５を使用するのが計画である。異なるパルスエネルギを有するレーザビームを集束条件を変化させることなく印加することにより、異なる書込密度を有するが、同時に同じ書込モード署名を有するレーザビーム３３５の書込モードがもたらされることは既に公知である。
【０１４４】
この影響を明らかにするために、以下の例では簡略化の理由から２つの書込モードのみを使用する。２つの異なる書込モードを導入する場合には、式４１の目的汎関数は次式に変化する：（式４３）
0005883249.tif 000071
一定の書込密度という条件は次式によって表される。
0005883249.tif 000072
ここで、ｃは任意の定数である。ここでもまた、簡素化の理由から、ここでＣＤＣ比が両方の書込モードにおいて等しいと仮定し、そうでなければ、ＣＤ書込の中立性を保証するために、式４４内に、例えば、
0005883249.tif 000073
のような書込密度に対する比例係数を導入することが必要になる。定数ｃの数値は、照明レベルによって定められ、それによってフォトリソグラフィマスクの基板内にいかなる劣化も誘起されないことが保証される。パラメータｃが大きくなることができる程、位置合わせ補正とＣＤ補正の両方においてより良好な改善率に達することができるが、一方、照明波長における光学強度の減衰率はより有意になる。
【０１４５】
式４４を使用することにより、式４３の目的汎関数は、１つの書込モードの問題に変形することができる。
0005883249.tif 000074
式４５は、単一の書込モードに関する式４１の目的汎関数と同じ手法で解くことができる。
【０１４６】
以下の例では、図４の位置合わせ問題を前と同様に使用することにする。式４５の最適化工程では、ピクセルは、フォトリソグラフィマスクの基板内に導入され、又は書き込まれ、レーザビーム３３５は、２つの異なるパルスエネルギを有するか又は２つの異なるレーザビームパラメータセットを用いて印加される。０．５２μＪのパルスエネルギを有するレーザビーム３３５を通常又は標準書込モードと呼び、０．３６μＪのパルスエネルギを有するレーザビーム３３５を低位置合わせ（ＬｏｗＲｅｇ）書込モードと呼ぶことにする（表２及び表３を参照されたい）。両方の書込モードにおけるパルス長は、８ｐｓである。パルス繰返し数は５０ｋＨｚである。焦点は、両方の書込モードにおいて９２０〜９５０μｍである。これらの電力密度において有意な量の自己集束が存在するので、焦点サイズの数値は公称値である。単一のピクセルを書き込むのに印加されるパルス数は１である。
【０１４７】
ｘ方向及びｙ方向に隣接するピクセルの間の距離は、１〜１０μｍである。前に解説した例に加えて本明細書に提供する更に別の例では、フォトリソグラフィマスクの基板内にピクセルを書き込むために、約８００ｎｍの波長を有するＴｉ：サファイアレーザ系又は周波数二倍化レーザパルスを有するＮｄ−ＹＡＧレーザ系を使用することができる。
【０１４８】
ＬｏｗＲｅｇ書込モードの位置合わせ変化は、通常書込モードのものよりも約４倍小さいことに注意すべきである。前の段落で既に示したように、ＬｏｗＲｅｇ書込モードは、通常書込モードにおけるものよりも小さいピクセル当たりのパルスエネルギを有するレーザビーム３３５によるピクセルの書込を定める。従って、ＬｏｗＲｅｇ書込モードは、同じ書込密度において通常書込モードの適用よりも小さいマスク基板の膨張をもたらす。通常書込モードとＬｏｗＲｅｇ書込モードの間のマスク基板の膨張におけるこの大きい差異に関する理由は、ＬｏｗＲｅｇパルスエネルギは、光学破壊の閾値に近く、それに対して通常モードのパルスエネルギは、この閾値を大きく超えることである。
【０１４９】
図２４は、通常書込モードの署名（左の部分）及びＬｏｗＲｅｇ書込モードの署名（右の部分）を正規化表現で示している。
【０１５０】
通常書込モードの署名とＬｏｗＲｅｇ書込モードの署名とにおけるこれらの異なるパルスエネルギは、レーザビーム３３５の２つの書込モードにおいて明確な役割を有するように選択される。強い変形を生じる通常書込モードは、位置合わせ補正のための役割を受け持ち、それに対してＬｏｗＲｅｇ書込モードは、照明波長における光学強度の遮蔽又は減衰をフォトリソグラフィマスクの像視野にわたって保つために通常書込モードによるマスク基板の遮蔽を補完する。
【０１５１】
通常書込モードの計算補正書込マップを図２５ａに提供しており、図２５ｂは、ＬｏｗＲｅｇ書込モードにおける補正書込マップを示している。図２５ａ及び図２５ｂから、書込密度マップの和が、フォトリソグラフィマスクの基板の活性区域の一定の遮蔽をもたらすことが容易に認識される。図２５ａ及び図２５ｂでは、マスクの照明波長における光学ビームの減衰レベルは、３％であるように選択される。３％の光学減衰率をもたらすピクセルの書込は、網羅的な研究により、この数値がフォトリソグラフィマスクに対する印刷に影響を与えないことが明らかになったことから選択される。３％の一定の減衰率の影響は、フォトリソグラフィマスクの照明に使用される光学強度の照射量の対応する増大によって補償すべきである。
【０１５２】
図４の位置合わせ誤差の補正の計算改善率は３９％である。この百分率は、４１％である単一モード補正工程における計算改善率よりも僅かに低い。
【０１５３】
図２５ａの補正書込マップは、図６の補正書込マップに類似する。この類似性は、２つの書込モードの役割の選択された作為的な分離という事実を反映している。通常書込モードは、図４の位置合わせ問題の補正に特化され、それに対してＬｏｗＲｅｇ書込モードは、フォトリソグラフィマスクにわたって遮蔽均一性を維持するように機能する。図４の位置合わせ問題の補正のために使用される模擬変化又は予測変化を図２６に示している。図６及び図２５ａの書込補正マップから予想されるように、ピクセル書込によってフォトリソグラフィマスクの基板内に生じるパターン要素のシフトも図７と図２６とにおいて類似する。
【０１５４】
以下の例では、本発明の方法の更に別の用途を提供する。ここで、フォトリソグラフィマスクが図４の位置合わせ問題を有し、付加的にＣＤ均一性（ＣＤＵ）問題を有すると仮定する。図２７ａには、ＣＤ均一性問題を提供している。図２７ｂは、図２７ａのＣＤ均一性問題を補正するのに必要なＣＤ補正書込マップを示している。ＣＤ補正マップは、既知の限界寸法補正（ＣＤＣ）比係数及び所定の目標ＣＤ値によって判断される。以下では、目標ＣＤは最小のＣＤであり、ＣＤＣ比は、光学減衰率のパーセント当たり１．２ｎｍであると仮定する。得られるＣＤ補正マップＭCDC（ｘ，ｙ）を図２７ｂに提供している。
【０１５５】
既に上述のように、図２７ａのマスクは付加的に図４の位置合わせ問題を有すると仮定する。ここでもまた、簡略化の目的で、異なる書込モードが等しいＣＤＣ比を有すると更に仮定する。この仮定により、式４４では単純に定数であった目標密度での値の要素区域α内へのＣＤ補正の書込のために使用される書込モードの平均値としての指定が可能になる。フォトリソグラフィマスクの活性区域の外側では、書込密度のあらゆる挙動を選択することができる。簡略化の理由から、積算書込密度に対して、５％である目標減衰率に対して選択されたものと同じ条件を同様に選択する。
活性区域内：
0005883249.tif 000075
不活性区域内：ａα＝５      （４６）
0005883249.tif 000076
【０１５６】
ここで式４５の目的汎関数を式４６の拘束条件を用いて解く。この最適化の結果をレーザビーム３３５の第１の書込モードに対して図２８ａに提供し、第２の書込モードに対して図２８ｂに提供しており、図２８ｃは、図２８ａと図２８ｂとの組合せ補正書込マップを示している。
【０１５７】
これらの図から、第１の書込モードの書込密度と第２の書込モードの書込密度との和が、ＣＤ補正に必要な活性区域内へのピクセル書込に正確に必要とされることを容易に認めることができる。式４５及び４６の最適化工程からもたらされる位置合わせ誤差の改善率推定値は、３６％であり、これは、ここでもまた、単一書込モードを用いた場合に可能な最良の改善率（図７の解説を参照されたい）に非常に類似する。この発見は、レーザビーム３３５に対する第２の書込モードを使用することにより、最適化空間における自由度が増大することから理解可能である。この例では、この機能は、ＣＤ均一性を改善するのに特化される。得られるＣＤＵは、入力ＣＤＵデータの精度を有し、ピクセル書込工程の安定性の範囲にあって完全でなければならない。
【０１５８】
シミュレーションからもたらされた図４の残留位置合わせ問題を図２９に示している。予想通りに、図２８の残留位置合わせ問題は、図７におけるものと同じ特徴を有する。しかし、一方で図２８ａ及び図２８ｂの補正の書込と、他方で図６の補正の書込とは、図２８ａ及び図２８ｂの書込補正マップを用いて図２７ｂのＣＤ均一性を同時に補正するという付加的な問題の理由からより大きく異なる。
【０１５９】
マルチモード方式を用い、かつ位置合わせ誤差の８０％を潜在的に除去することが可能である。使用する書込モードの可能な選択肢は、０°モード署名を有する通常書込モード及び９０°モード署名を有する更に別の通常書込モードの適用、並びに第３の書込モードとしてのＬｏｗＲｅｇ書込モードの適用とすることができる。通常書込モード及びＬｏｗＲｅｇ書込モードにおけるパラメータ値を表２及び表３に要約している。位置合わせ誤差とＣＤ均一性誤差の両方の改善率に関する高い可能性は、図４の非常に系統的な初期位置合わせ問題の結果である。
【０１６０】
当業者は、フォトリソグラフィマスクの位置合わせ問題に関しての本発明の方法の適用が上記に解説した例に限定されないことを認めるであろう。これらの例は、フォトリソグラフィマスクの位置合わせ問題の解決のための本発明の原理の有益な態様のうちの一部を示すためだけに提供したものである。
【０１６１】
５．３．ＣＤＵ問題
以下の例では、本発明の方法を関連の限界寸法均一性（ＣＤＵ）問題に適用することにする。「理論的背景」の部分の式２９は、書込密度振幅：
0005883249.tif 000077
及び垂直方向ｌの変形要素：
0005883249.tif 000078
を有するレーザビーム３３５の適用によって生じるノード変位ξiを表す。上記に解説した位置合わせ問題の補正と同様に、ＣＤ補正のために、ピクセルがフォトリソグラフィマスクの基板内に同様に書き込まれる。従って、あらゆる所定のＣＤＣ問題に対して、ピクセル書込から生じる変位を計算するために、式２９を使用することができる。ＣＤＣ工程から生じる変位は、フォトリソグラフィマスクのパターン要素の位置を変化させる場合があり、恐らくはマスクの性能を劣化させる可能性がある。以下では、パターン要素の位置に悪影響を与えることなく、又は言い換えれば、ＣＤ均一性問題を補正する間に位置合わせ誤差を導入することなく、如何にＣＤＣを実施することができるかに対して解説する。
【０１６２】
一般的なＣＤＣ工程は、レーザビーム３３５に対する複数の書込モードの適用を必要としない。それとは逆に、ＣＤＣ工程は、プロセスウィンドウ（ＰＷ）とも呼ぶ単一書込モードのみを用いて実施される。式２９及び３２を使用することにより、ＣＤ補正における書込モードにより、重要な位置にあるパターン要素の位置に生じる変化を予測することができる。単一のＣＤＣ書込モードでは、変位は、次式によって与えられる。
0005883249.tif 000079
ここで、行列Φijは、式４０及び４１に定義されている。
【０１６３】
一般的なＣＤＣタスクは、フォトリソグラフィマスク１００の活性区域１５０であるフォトリソグラフィマスクの像視野にわたるレーザビーム３３５によるピクセル書込を包含する。通常は、フォトリソグラフィマスク１００の基板１１０の不活性区域１６０内にはいかなるピクセルも書き込まれない。ＣＤ補正では、ピクセルは、一般的にパターン要素から約３．１７５ｍｍの距離を有するフォトリソグラフィマスクの基板の深さ又は高さの中間部に書き込まれる。この例では、マスク基板の深さ又は高さは６．３５ｍｍであると仮定している。照明のために使用される対物系は、空気中で０．２５のＮＡを有し、フォトリソグラフィマスク１００の基板１１０内で約０．１７のＮＡを有する。簡単な幾何学形状の考察から、フォトリソグラフィマスクの照明の全てを均一に遮蔽するために、生成される遮蔽要素は、パターン要素区域よりも約０．５ｍｍ幅広でなければならないことを示すことができる。照明ＣＤ補正の均一な遮蔽を保証するために、一般的に、ピクセルは、パターン要素区域を１ｍｍだけ超える区域内に書き込まれる。
【０１６４】
以下では、式４７及びフォトリソグラフィ照明系のスキャナ又はステッパによって実行される線形結像変換との組合せで、より小さい量の生じた位置合わせ変化しか残さない変形を生成するために、ピクセルは、不活性区域内にも書き込まれる。言い換えれば、生じた位置合わせ変化のアポディゼーションを生成することが目的である。この方式をスマートアポディゼーション（ｓｍａｒｔ  ＡＰＯ）と呼ぶ。この名称は、単純な減衰周縁部に従うピクセル書込を既にアポディゼーションとして使用することができることから選択したものである。式４７に類似して、アポディゼーションピクセルの書込によって生じる位置合わせ変化は、次式になる。
0005883249.tif 000080
【０１６５】
ここでは、ＣＤＣ工程に使用されるものとは異なるアポディゼーションタスクのためのレーザビーム３３５の書込モードを選択することができると仮定する。以下では、この書込モードをアポディゼーション書込モードと呼ぶ。通常、この書込モードは、レーザビーム３３５の高電力パルスを使用する。異なる書込モードを使用する理由は、例えば、アポディゼーション書込収量の増大、又はアポディゼーション補償のための最適化手段である。従って、目的は、次式の目的汎関数を最小にするアポディゼーション振幅：
0005883249.tif 000081
と線形結像変換パラメータ又はスキャナ補償パラメータｓjとを求めることである。
0005883249.tif 000082
【０１６６】
式４９は、簡単な最適化問題である。アポディゼーション振幅：
0005883249.tif 000083
は、フォトリソグラフィマスク１００の基板１１０の不活性区域１６０のセル内でのみ定義される。ここでスマートアポディゼーション手順の効率をいくつかの例に基づいて明らかにする。
【０１６７】
第１の例では、標準試験書込から生じるアポディゼーションを示している。標準試験書込は、指定されたＰＷ（プロセスウィンドウ）における書込均一性及び生じた変形を制御するように設計される。図３０は、矩形の灰色区域内で、光学強度の２％の減衰率を生じる一定の書込密度を示している。
【０１６８】
図３１ａは、試験ＣＤＣ書込によって生じる計測位置合わせ変化を示しており、図３１ｂは、線形結像変換を実施した後の残留位置合わせ変化を示している。図３１ａでは、位置合わせ誤差の３σ数値は、ｘ方向において４１．５ｎｍであり、ｙ方向において６９．２ｎｍである。線形結像変換（Ｓ／Ｏ補正）を実施した後に、ｘ方向において５．４ｎｍ、ｙ方向において１４．９ｎｍの残留誤差が残る。実証目的で、代表的な試験書込を非常に過激であるように選択し、この書込は、明確に有意な位置合わせ変化を生じる。試験ピクセルは、フォトリソグラフィマスクの活性区域にわたって均一に書き込まれるので、得られる位置合わせ変化の大部分は、フォトリソグラフィ照明系のスキャナによって（又はステッパにおいて）実施される線形結像変換によって補償することができる。
【０１６９】
ＣＤＣ書込モード署名は、式４７から既知であるから、図３０の標準試験書込マップから生じる位置合わせ変化を模擬することができる。このシミュレーションの結果を図３２ａ及び図３２ｂに提供している。シミュレーション結果は、図３１ａ及び図３１ｂの計測位置合わせ変化との非常に良好な一致を示している。この一致は、それぞれの測定を実施せずに生じた位置合わせ変化を予測することができることを明確に明らかにしている。
【０１７０】
この結果により、残留位置合わせ誤差を最小にするのに必要とされるアポディゼーションの量を計算することができ、すなわち、ＣＤＣ工程によって生じる位置合わせ変化は測定されず、代替的に、位置合わせ変化は模擬され、得られた結果は、最良のアポディゼーションパラメータの計算のために使用される。この目的のためには、フォトリソグラフィマスクの活性区域内の位置合わせ変化を考慮するだけでよい。
【０１７１】
図３３ａは、フォトリソグラフィマスクの活性区域内の模擬位置合わせ変化を示している。３σ数値によって特徴付けられるマスクの活性区域内の模擬位置合わせ変化は、ｘ方向において２２．５ｎｍであり、ｙ方向において４７．１ｎｍである。図３３ｂは、フォトリソグラフィ照明系のスキャナによって線形結像変換が実施された後の残留位置合わせ誤差を提供している。残留位置合わせ誤差は、ｘ方向において２．１ｎｍであり、ｙ方向において６．２ｎｍである。
【０１７２】
このデータを用いて、ＣＤ補正によって生じる位置合わせ変化を低減することになるアポディゼーション書込マップを計算することができる。図３４ａは、計算アポディゼーション書込マップを示している。フォトリソグラフィマスクの不活性区域内での５％の光学強度変化が、このアポディゼーション書込マップの計算において許容された。
【０１７３】
図３４ｂは、不活性マスク区域内へのアポディゼーションピクセル書込によって生じるフォトリソグラフィマスクの活性区域内の位置合わせ変化を示している。
【０１７４】
図３５ａは、ＣＤ補正（図３３ａ）の位置合わせ変化及びアポディゼーション書込（図３４）の位置合わせ変化から生じた位置合わせ変化を提供しており、図３５ｂは、線形結像変換を実施した後の図３５ａの残留位置合わせ変化を示している。
【０１７５】
ＣＤＣ書込マップ及びＡＰＯ書込マップがマスク基板に書き込まれた後に、活性区域内の模擬位置合わせ変化（３σ数値）は、合計でｘ方向において２７．３ｎｍ、及びｙ方向において５４．３ｎｍになる。線形結像変換（Ｓ／Ｏ補正）が実施された後に、ｘ方向において１．７２ｎｍ、ｙ方向において１．７８ｎｍの残留位置合わせ誤差が残る。これは、図３１の状況に対して７１％の改善率である。従って、フォトリソグラフィの区域内の残留位置合わせ誤差は、３倍から４倍だけ低減される。すなわち、アポディゼーション工程は、ＣＤ補正工程によって導入される位置合わせ誤差を大幅に低減することができる。
【０１７６】
次に、更に別の例において、標準アポディゼーション手順の影響を明らかにする。標準アポディゼーション手順は、フォトリソグラフィマスクの不活性区域内へのＣＤＣレベルからゼロ書込密度を有するレベルに減衰するピクセル書込を含む。
【０１７７】
図３６ａには、この減衰アポディゼーションの書込を示している。図３６ｂは、図３６ａの減衰アポディゼーション書込マップによって生じる位置合わせ変化のシミュレーション結果を示している。図３６ｂは、活性区域の角における位置合わせ変化の図３４ｂと類似の補償を示している。
【０１７８】
以下では、ＣＤＣ書込によって生じる位置合わせ誤差に対する減衰アポディゼーションの影響を分析することにする。図３７ａは、図３０の試験ＣＤＣ書込と図３６ａの減衰アポディゼーションの両方を組み合わせた書込マップを提供している。図３７ｂは、図３７ａの書込マップの得られる位置合わせ変化を示している。対応する模擬を実行することによって得られたフォトリソグラフィマスクの活性区域内で得られる位置合わせ変化（３σ数値）は、ｘ方向において２６．３ｎｍであり、ｙ方向において５２．３ｎｍである。図３７ｃに示しているように、線形結像変換（Ｓ／Ｏ補正）を実施した後に、残留位置合わせ誤差は、ｘ方向において２．１ｎｍであり、ｙ方向において３．８ｎｍである。それによって図３３ａに例示しているフォトリソグラフィマスクの活性区域内の模擬位置合わせ変化と比較して３８％の改善率がもたらされる。
【０１７９】
すなわち、減衰アポディゼーションを適用することにより、フォトリソグラフィマスクの活性区域内の位置合わせ誤差の１．５倍の低減を得ることができる。この結果は、非常に対称的で均一な試験ＣＤＣ書込が使用されたことに起因して並外れて良好である。一般的な場合には、得られる改善率は５％から３０％まで変化するが、この改善率でさえも、減衰アポディゼーションを実行する手法を正当化するには十分な意味を有する。減衰アポディゼーションに関する書込モード署名の正確な値を把握する必要はなく、いかなる付加的な計算も必要ではない。これらの項目は、呈示した方式の重大な利点である。フォトリソグラフィマスクの不活性区域内の均一な減衰アポディゼーションを書き込むことのみが必要である。一方、スマートアポディゼーション方式は、より有効であり、かつ書込時間をそれ程必要としない補償法を確かに提供する。
【０１８０】
次に、第２の例において、スマートアポディゼーションを実際のＣＤＣタスクに如何に適用することができるかを明らかにする。図３８ａは、フォトリソグラフィマスクの活性区域に対するＣＤ補正書込マップを示している。図３８ｂは、ＣＤ補正ピクセルの書込によって生じる位置合わせ変化を提供しており、図３８ｃは、線形結像変換（Ｓ／Ｏ補正）が実施された後の図３８ｂの残留生じた位置合わせ変化を示している。
【０１８１】
ＣＤ補正書込密度は比較的低く、僅か２．１％の最大光学強度減衰率しか持たず、平均減衰率は１％未満である。ＣＤＣタスクは、フォトリソグラフィマスクの活性区域内でｘ方向１５．２ｎｍ、ｙ方向に３５．７ｎｍの位置合わせ変化を生じる。下記の図４０ａのＣＤＣタスクと比較してこの小さい書込密度しか持たないが、図３８ａのＣＤＣタスクは、比較的有意な位置合わせ変化を生じる。線形結像変換（Ｓ／Ｏ補正）の実施後は、残留位置合わせ変化は、合計でｘ方向において４．６ｎｍ、ｙ方向において８．４ｎｍになる。
【０１８２】
図３９ａは、図３８ａのＣＤＣタスクに対応するアポディゼーションマップを示している。図３９ｂは、フォトリソグラフィマスクの活性区域内に図３９ａのアポディゼーションマップによって生じる位置合わせ変化を示しており、図３９ｃは、線形結像変換を実施した後の残留位置合わせ変化を示している。図３９ａのアポディゼーションタスクと組み合わされた図３８ａのＣＤＣタスクの得られる残留位置合わせ変化は、ｘ方向において３．１５ｎｍ、ｙ方向において３．５４ｎｍの残留位置合わせ変化（３σ数値）をもたらす。改善率は５８％であり、これは、図３８ｂに提供しているＣＤ補正によって生じる位置合わせ変化の約半分である。
【０１８３】
次に、第３の例として、別の一般的なＣＤＣタスクに対してスマートアポディゼーション方式の影響を明らかにすることにする。図４０ａは、一般的なＣＤＣ問題におけるフォトリソグラフィマスクの活性区域に対するＣＤ補正書込マップを示している。図４０ｂは、ＣＤ補正ピクセルの書込によって生じる位置合わせ変化を提供しており、図４０ｃは、線形結像変換（Ｓ／Ｏ補正）が実施された後の図４０ｂの残留生じた位置合わせ変化を示している。
【０１８４】
ＣＤＣ書込密度によって生じる最大減衰率は、２．８％であり、平均してＣＤＣ書込密度は、露光波長において光学強度の１．７％の減衰率を導入する。この減衰率変化は、図３８ａのＣＤＣタスクのものよりもかなり大きい。活性区域内の模擬位置合わせ変化（３σ数値）は、ｘ方向において１２．２ｎｍであり、ｙ方向において５３．４ｎｍである。ＣＤ補正の書込によって生じる位置合わせ変化も、図３８ａのＣＤＣタスクのものよりもかなり大きい。線形結像変換（Ｓ／Ｏ補正）の実施後に、ｘ方向において２．３ｎｍ、ｙ方向において７．０ｎｍの位置合わせ変化が残る。図４０ａのＣＤＣタスクにおける残留位置合わせ変化が、図４０ａのタスクにおけるものよりも小さいことが分る。これは、より均一なＣＤＣ書込マップに起因する。
【０１８５】
図４１ａは、図４０ａのＣＤＣタスクに対して計算されたアポディゼーションマップを示している。図４１ｂは、図４１ａのアポディゼーションマップによってフォトリソグラフィマスクの活性区域内に生じる位置合わせ変化を提供している。
【０１８６】
図４２ａは、図４０ａのＣＤＣタスクと図４１ａの計算アポディゼーションタスクの両方を組み合わせた書込マップを提供している。図４２ｂは、図４２ａの書込マップの得られる位置合わせ変化を示し、図４２ｃは、線形結像変換（Ｓ／Ｏ補正）を実施した後の残留位置合わせ変化を示している。活性区域へのＣＤＣ及びＡＰＯ書込の適用後の模擬位置合わせ変化は、ｘ方向において１５．６ｎｍであり、ｙ方向において１５．６ｎｍである（３σ数値）。Ｓ／Ｏ補正のための線形結像変換の実施後に、残留位置合わせ変化は、ｘ方向において１．５ｎｍであり、ｙ方向において１．９５ｎｍである。このデータは、図４０ａのＣＤＣタスクによって生じる位置合わせ変化の６９％の改善率を示している。図４０ａのＣＤＣタスクの改善率は、図３８ａのＣＤＣタスクにおけるものよりも高く、従って、得られる標準偏差（３σ）も有意に小さい。従って、図４０ａのＣＤＣタスクによって向けられる残留位置合わせ変化を３倍だけ低減することができる。
【０１８７】
図４３では、模擬によって得られた図４２の結果を実験的に検査する。図４３ａは、図４１ａのフォトリソグラフィマスクに実際に適用される図４０ａのＣＤＣタスクの両方を組み合わせた書込マップを提供している。図４３ｂは、図４３ａの書込マップから向けられる計測位置合わせ変化を示しており、図４３ｃは、図４３ｂの位置合わせ問題に対して線形結像変換（Ｓ／Ｏ補正）を実施した後の残留位置合わせ変化を示している。
【０１８８】
ＣＤＣとＡＰＯとの補正書込マップがマスク基板内に書き込まれた後の位置合わせ変化の測定は、ｘ方向において１５．１ｎｍ、ｙ方向において６５．０ｎｍの位置合わせ変化（３σ数値）をもたらす（図４３ｂ）。線形結像変換（Ｓ／Ｏ補正）の実施後に、残留位置合わせ変化は、ｘ方向において１．４５ｎｍであり、ｙ方向において２．３１ｎｍである（図４３ｃ）。このデータは、図４０ａのＣＤＣタスクによって生じる位置合わせ変化の６７％の改善率を示している。
【０１８９】
次の例は、必要とされるマグニチュードの光学減衰率を与え、同時にＣＤ補正によって導入される位置合わせ劣化を最小にするマルチモードＣＤＣ書込の適用を明らかにする。以下の推定を簡素化するために、位置合わせ変化の最適化のために２つの書込モードだけを適用する。
【０１９０】
図３０のＣＤＣタスクに関する例を再度使用する。フォトリソグラフィマスクの活性区域内に得られる位置合わせ変化を図３３ａに示している。この図から、Ｓ／Ｏ補正のための線形結像変換を実施した後の残留位置合わせ変化が対称ではないことに注意すべきである。位置合わせ誤差（３σ数値）は、ｘ方向には２．１ｎｍであり、それに対してｙ方向には６．２ｎｍである。この極端な場合には、選択される書込モードは、ｘ方向と比較してｙ方向により大きい膨張を生成する。５．２部（「位置合わせ問題」）と同様に、ここでは標準のマスクの向きを用いてピクセルのうちの半分に書込み、次に、フォトリソグラフィマスクを９０°だけ回転させ、それによってこのマスクの向きでピクセルうちの残りの第２の半分を書き込むことにより、得られる劣化を最小にする。上記で導入した用語を使用することにより、この状況をピクセルのうちの第１の半分は、０°モード署名で書き込まれ、ピクセルのうちの第２の半分は９０°モード署名で書き込まれると説明することによって表すことができる。
【０１９１】
図４４ａは、試験ＣＤＣ書込マップのピクセルのうちの半分が、０°モード署名を有するレーザビーム３３５を用いて書き込まれた場合に生じる位置合わせ変化を示しており、図４４ｂは、試験ＣＤＣ書込マップのピクセルのうちの半分が、９０°モード署名を有するレーザビーム３３５を用いて書き込まれた場合に生じる位置合わせ変化を示している。図４４ａ及び図４４ｂは、予測可能な結果を示している。独自のモード署名を有する全てのモードは、同じ変位を生成するが、図４４ｂは、図４４ａに対して９０°回転されている。図４４ａの図と図４４ｂの図は、選択された格子がｘ方向及びｙ方向に関して非対称であったことに起因して完全には同一に見えない。２つの書込モードに分割されたＣＤＣタスクの全ての書込の後により良好な結果が予想される。
【０１９２】
図４５ａは、ピクセルのうちの第１の半分が０°モード署名を用いて書き込まれ、ピクセルのうちの第２の半分が９０°モード署名を用いて書き込まれる場合に、図３０の試験ＣＤＣ書込によって生じる位置合わせ変化を示している。図４５ｂは、Ｓ／Ｏ補正のために線形結像変換が実施された後の残留位置合わせ変化を示している。
【０１９３】
図４５ｂの残留位置合わせ変化は、図３４ｂのものよりも小さい。残留変位（３σ数値）は、ｘ方向において２．９ｎｍであり、ｙ方向において３．０ｎｍである。予想通り、前のページで解説したように単一書込モードを用いたＣＤ補正と比較して２倍の改善率が存在する。
【０１９４】
図４４の例では、２つの書込モードの間の分割は５０：５０であった。以下では、生じる位置合わせ変化に対するＣＤ補正の最小の影響を得るために、０°モード署名を用いたＣＤ補正における書込モードと９０°モード署名を用いたＣＤ補正における書込モードの間の最適な分割を計算する。２つの書込モードの適用ための式４７の拡張は、次式である。
0005883249.tif 000084
あらゆる要素区域α内で要求ＣＤＣ書込密度を得るための拘束条件は、次式で表される。
0005883249.tif 000085
得られる式５０の変位及び式５１の密度条件は、次式の形式の目的汎関数をもたらす。
0005883249.tif 000086
【０１９５】
式５２の目的関数の最適化は、非常に興味深い解を与える。０°モード署名を有する書込モードにおけるＣＤ補正書込マップを図４６ａに表す。図４６ｂは、９０°モード署名を有する書込モードにおけるＣＤ補正書込マップを示している。図４６ａのＣＤ補正書込マップによって生じる得られる位置合わせ変化を図４７ａに示しており、それに対して図４７ｂは、図４６ｂのＣＤ補正書込マップに関するこの結果を示している。
【０１９６】
計算された組合せ位置合わせ変化を図４８ａに提供しており、図４８ｂは、Ｓ／Ｏ補正のための線形結像変換の実施後の残留位置合わせ変化を表す。図４８ｂにおける残留変位（３σ数値）は、ｘ方向において２．３ｎｍであり、ｙ方向において２．３ｎｍである。この結果は、２つの書込モードの単純な５０：５０分割よりも３３％良好である。
【０１９７】
０°及び９０°のモード署名を有する２つの書込モードへの最適な分割は、通常ＣＤＣ書込と比較して３倍だけ位置合わせの劣化を低減することを可能にすると要約することができる。一方、この方式は、通常ＣＤＣ書込とほぼ同じ収量を有する。
【０１９８】
更に、改善率の全ては、実際には書込モード署名の非対称性から生じることに注意すべきである。従って、書込モード署名が対称である場合には、改善率はかなり低い可能性がある。一般的に、通常のＣＤ補正は、非対称のモード署名を有し、従って、０°及び９０°のモード署名を有する２つの書込モードへの上記に解説した分割の適用を可能にする。実際、結果は上記に提供したものよりも実際に広範囲にわたる。ＣＤＣ工程は、書込モードの異なる対に分割することができる。提供する例は、根底にある原理を示すためにのみ選択したものである。
【０１９９】
次の例では、前の例を用いて解説した方式を今度は図３８ａのＣＤＣ問題に適用する。０°及び９０°のモード署名を有する２つの書込モードへの最適な分割に起因して得ることができる改善率を調べることにする。
【０２００】
図４９ａは、図３８ａのＣＤＣ問題に対する０°モード署名を有する書込モードにおけるＣＤ補正書込マップを示しており、図４９ｂは、同様に図３８ａのＣＤＣ問題に対する９０°モード署名を有する書込モードにおけるＣＤ補正書込マップを提供している。両方の図における補正書込マップは、式５２の目的汎関数を最小にすることによって計算したものである。
【０２０１】
図５０ａは、２つの書込モードの間の最適な分割によって生じる位置合わせ変化を示しており、図５０ａは、線形結像変換を実施した後の残留位置合わせ変化を表す。得られる生じた位置合わせ変化（３σ数値）は、ｘ方向において１８．２ｎｍであり、ｙ方向において１７．３ｎｍである。線形結像変換を実施した後に、残留位置合わせ変化は、ｘ方向において４．１ｎｍであり、ｙ方向において３．８ｎｍである。従って、ＣＤＣ書込タスクを２つの異なる書込モードに分割することにより、残留位置合わせ変化を単一書込モードを用いてＣＤ補正を実施するのに対してほぼ４倍だけ低減することができる。
【０２０２】
以下では、再度図３８ａのＣＤＣ問題を今度は異なる書込モードセットを用いて解く。前の５．２部「位置合わせ問題」において既に解説したように、異なるパルスエネルギは、レーザビーム３３５の異なるモード署名をもたらす。異なるモード署名は、主にその生じた変形のマグニチュードにおいて異なる。極小の位置合わせ変化しか持たないＣＤＣタスクを実行する場合には、一般的に、いわゆるＬｏｗＲｅｇ書込モードが使用される。一般的に、ＬｏｗＲｅｇ書込モードは、通常書込モードを使用する場合よりも２倍から４倍小さいマスク基板の膨張を生じるが、同じＣＤＣ遮蔽をもたらす。ＬｏｗＲｅｇ書込モードにおける収量はかなり低く、従って、一方で必要とされる生産率と、他方で位置合わせ変化の容認レベルとの間で常に妥協点を見出さなければならない。以下では、二重モードの組合せが更に良好な結果をもたらすことができることを示すことにする。
【０２０３】
図５１ａは、全体的なＣＤ補正がＬｏｗＲｅｇ書込モードを使用することによって実施される場合に生じる位置合わせ変化を示している。図５１ｂは、線形結像変換が実施された後の残留位置合わせ変化を示している。得られる位置合わせ変化は、標準ＰＷ（プロセスウィンドウ）から生じるものよりも小さい。位置合わせ変化は、ｘ方向において９．６ｎｍであり、ｙ方向において１１．１ｎｍであると定量化され、線形結像変換（Ｓ／Ｏ補正）の実施後に、ｘ方向において３．７ｎｍ、ｙ方向において４．９ｎｍの残留位置合わせ誤差が残る。これは、標準ＰＷにおけるものよりも約２倍小さい。式５２と類似の最適な分割は、次式の目的汎関数から定義される。
0005883249.tif 000087
【０２０４】
演算子：
0005883249.tif 000088
0005883249.tif 000089
及び振幅：
0005883249.tif 000090
0005883249.tif 000091
は、それぞれ標準又は通常ＰＷ及びＬｏｗＲｅｇＰＷにおける式の成分を表す。標準ＰＷ及びＬｏｗＲｅｇＰＷにおけるレーザビームのパラメータを表２及び表３に提供している。
【０２０５】
図５２は、標準又は通常書込モードとＬｏｗＲｅｇ書込モードとに分割された図３８ａのＣＤＣ問題に対する式５３の解を提供している。図５２ａは、標準又は通常書込モードにおけるＣＤ補正書込マップを示しており、図５２ｂは、ＬｏｗＲｅｇ書込モードにおけるＣＤ補正書込マップを示している。
【０２０６】
線形結像変換を実施した後に、２つの書込モードの間で最適化された分割は、ｘ方向において１．４ｎｍ、ｙ方向において１．６ｎｍの残留位置合わせ誤差をもたらす。この誤差は、単純にＬｏｗＲｅｇ書込モードを用いた場合の残留位置合わせ誤差よりも６０％小さい。標準書込モードにおける高い収量という事実を考慮すると、標準書込モードとＬｏｗＲｅｇ書込モードとの組合せを用いた場合に、ＣＤ補正工程の全体的な生産率のある程度の増大を得ることが更に可能である。この例は、標準書込モード及びＬｏｗＲｅｇ書込モードの適用が、生じた位置合わせ変化を制御するための強力なツールでもあることを明確に明らかにしている。これは、ＣＤＣタスクが非常に小さい位置合わせ変化を必要とする場合に使用することができる。
【０２０７】
次に、第３の方式において、スマートアポディゼーションと安全なＣＤＣとの組合せを提供することにする。安全なＣＤＣ手順上へのスマートアポディゼーション手順の単純な実施は、ある程度の改善率を与えることができる。しかし、ＣＤＣ書込タスクと不活性区域内へのピクセル書込との分割の最適化は、より良好な結果を得ることを可能にする。標準書込モードとＬｏｗＲｅｇ書込モードとへの分割は、不活性区域内の書込に向けては最適ではないことは明らかである。しかし、この選択は、計算労力を低く保つために、更には得られた結果を過去の結果と比較することができるように行ったものである。最も一般的な観点からは、残留位置合わせ変化を最小にするために、フォトリソグラフィマスクの不活性区域内への書込における振幅を得て、マスクの活性区域に比例してこれらの振幅を分割する必要がある。
【０２０８】
この方式のための式５３の拡張は、次式の目的汎関数をもたらす。
0005883249.tif 000092
この方式に関する例として、再度図３８ａのＣＤＣ問題を式５４の最適化のために使用する。図５３は、得られた書込モードの分割を提供している。図５３ａは、標準又は通常書込モードにおけるＣＤ補正書込マップを示しており、それに対して図５３ｂは、ＬｏｗＲｅｇ書込モードにおけるＣＤ補正書込マップを示している。書込モードのこの分割は、理論的には、結果としてｘ方向において０．３６ｎｍ、及びｙ方向において０．３８ｎｍ程度まで小さい位置合わせ変化（３σ数値）を得ることを可能にする。
【０２０９】
これは、完全な達成であり、事実上いかなる位置合わせ変化も誘起しない。上記に解説した全ての異なる方式から得られた図３８ａのＣＤＣ問題に対する結果を以下の表に要約する。
【０２１０】
（表７）
0005883249.tif 000093
【０２１１】
表７は、スマートアポディゼーション、２つの書込モードに分割されたタスク、及びＬｏｗＲｅｇＰＷがほぼ同じ利点をもたらすことを示している。２つの回転された書込モードへの分割は、より時間効率的である。スマートＣＤＣ工程は、最も高い改善率を与え、事実上いかなる新しい又は付加的な位置合わせ変化も誘起しない。
【０２１２】
当業者は、本発明の方法の用途が上記に解説したＣＤＵ問題に限定されないことを認めるであろう。それとは逆に、提供した例は、フォトリソグラフィマスクのＣＤＵ問題という観点から、本発明の原理の様々な態様のうちの一部を明らかにすることのみを意図したものである。特に、位置合わせ問題とＣＤＵ問題とにおける上述の分離は任意のものであり、本発明の方法は、フォトリソグラフィマスクの両方の方式の誤差を同時に補正するために適用することができることを強調しておきたい。
【０２１３】
５．４．重ね合わせ問題
最後に、本発明の方法は、重ね合わせ問題に適用することができる。本明細書の第２部で既に上述したように、殆どの場合、フォトリソグラフィマスクのパターン要素の絶対設計位置は、層のスタックを通じた隣接層上のパターン要素、又は同じ層上にあるが、２つ又はそれよりも多くの異なるフォトリソグラフィマスクから印刷されたパターン要素の相対位置程には重要ではない。これは、二重パターン化方式を用いて印刷されたパターン要素にも関連する。
【０２１４】
重ね合わせ補正方式を以下にマスクＢ及びマスクＣと呼ぶ２つの異なるフォトリソグラフィマスクだけを用いて例示する。解説する方式は、２つよりも多くのフォトリソグラフィマスクの重ね合わせ誤差の補正に適用することができることを認めるであろう。
【０２１５】
図５４ａは、マスクＢの初期位置合わせ問題を提供しており、図５４ｂは、線形結像変換の実施後の図５４ａの残留位置合わせ問題を示している。図５４ａのマスクＢにおける初期Ｘ／Ｙ仕様は、６．５９ｎｍである。
【０２１６】
図５５ａは、マスクＣの初期位置合わせ問題を示しており、図５５ｂは、線形結像変換の実施後の図５５ａの残留位置合わせ問題を示している。図５５ａのマスクＣにおける初期Ｘ／Ｙ仕様は、８．５２ｎｍである。
【０２１７】
図５４及び図５５から、マスクＢの初期位置合わせ問題（図５４）とマスクＣの初期位置合わせ問題（図５５）とが非常に類似して見えることが分る。Ｓ／Ｏ補正のための線形結像変換の実行は、根底にある位置合わせ問題のこの類似性を低減する。しかし、図５４ｂと図５５ｂは、依然として類似の挙動を示している。
【０２１８】
図５６は、マスクＢ及びＣの初期重ね合わせ問題を提供している。マスクＢ及びＣの重ね合わせ誤差に関する初期Ｘ／Ｙ仕様は、１４．０３ｎｍである。重ね合わせ問題のこの大きい値は、マスクＢとマスクＣの間に重大な不整合が存在することを示している。残留する有意な差は補正すべきである。
【０２１９】
両方のマスクにおいて可能な最良の補正を得るために、単一書込モードに関するモード目的汎関数（式４０）を最小にすることにする。図５７ａは、マスクＢに対する計算補正書込マップを示しており、図５７ｂは、マスクＣに対する計算補正書込マップを提供している。図５７ａに提供している補正書込マップの平均書込密度又は平均光学強度減衰率は、マスクＢにおいて２．３５％であり、図５７ｂに示しているマスクＣにおいて２．６５％である。得られる残留Ｘ／Ｙ仕様は、マスクＢにおいて４．３３ｎｍであり、マスクＣにおいて５．２８ｎｍである。
【０２２０】
しかし、これは、マスクＢとマスクＣの間の重ね合わせ問題を左右するパラメータではない。この目的のためには、マスクＢ及びマスクＣのＸ／Ｙ仕様又はこれらのマスクの位置合わせ差を把握することが必要である。
【０２２１】
得られるマスクＢとマスクＣの重ね合わせＸ／Ｙ仕様は、８．８３ｎｍであり、これは、個々のマスクのＸＹ仕様よりも良好である。しかし、この数値は、依然として過度に大きく、改善すべきである。
【０２２２】
ここでの目的は、マスクＢとマスクＣの間の重ね合わせを特に改善することになる補正書込マップを見出すことである。これは、目的が、マスクＢを所定の設計と最良に適合するようにもたらすことではなく、マスクＣとの最良適合を達成することであることを意味する。
【０２２３】
図５９は、マスクＢとマスクＣの間の重ね合わせを改善する計算補正書込マップを提供している。書込密度による減衰率の平均値は２．３４％であり、これは、マスクＢ（図５７ａ）、並びにマスクＣ（図５７ｂ）の位置合わせ誤差を補正するのに必要な書込密度の約半分である。マスクＢがマスクＣに対して最適化される場合に得られる残留重ね合わせ誤差の２Ｄマップを図６０に示している。図６０の得られる残留重ね合わせ誤差は、６．５３ｎｍのＸ／Ｙ仕様を有する。この結果は、マスクＢ（図５７ａ）及びマスクＣ（図５７ｂ）内の位置合わせ誤差を個々に補正する場合よりも２６％良好である。
【０２２４】
上述の方式では、マスクＣの補正機能は、この時点まで使われていない。数学的には、重ね合わせは、マスクＢとマスクＣとの位置合わせの差である。従って、マスクＢ及びマスクＣがいかなる変形を含んでいても、両方のマスク間の変形差のみが関連のあるものである。一見すると、両方のフォトリソグラフィマスクの基板内にピクセルを書き込む機能からは利益を得ることができないように見える。しかし、問題の定式化において考慮すべきである物理的拘束条件が存在する。負の書込密度を用いてピクセルを書き込むことはできず、又はピクセルをフォトリソグラフィマスクの基板内に書き込む際にフォトリソグラフィマスクの光透過率を改善することはできない。これは、式４１の目的汎関数を式４０によって表した拘束条件の代わりに次式の拘束条件を使用することによって解くことができることを意味する：（式５５）
0005883249.tif 000094
最適な補正書込マップに対してもたらされる解は、２つの異なるマップに分割すべきである。最適な補正書込マップの正の部分である第１のものは、マスクＢに対する補正書込マップを形成し、マップの負の部分である第２のものは、マスクＣに対する補正書込マップを形成する。
【０２２５】
図６１ａは、書込密度振幅：
0005883249.tif 000095
の正の部分を提供するマスクＢに対する計算重ね合わせ補正書込マップを示しており、図６１ｂは、書込密度振幅：
0005883249.tif 000096
の正の部分を提供する、マスクＣに対する計算重ね合わせ補正書込マップを表す。
【０２２６】
線形結像変換の実施後に得られる模擬残留重ね合わせ誤差を図６２に提供している。重ね合わせＸ／Ｙ仕様（３σ数値）に対して得られる誤差の推定値は、５．５ｎｍであり、これは、図６０に提供している補正工程の結果よりも１６％良好である。
【０２２７】
以下の説明は、この部を要約するものである。すなわち、初期重ね合わせ問題は、１４．０３ｎｍであり、マスクＢ及びマスクＣを設計位置に関して個々に補正した後に、８．８３ｎｍの残留重ね合わせ問題が残る（方式１）。マスクＢとの最良の重ね合わせを目標とするマスクＣの補正は、６．５３ｎｍの重ね合わせ誤差をもたらす（方式２）。最後に、両方のマスクの補正の後に、残留重ね合わせ誤差は、５．５ｎｍに低減する（方式３）。
【０２２８】
異なるフォトリソグラフィマスクが、例えば、電子ビーム書込器の特徴のような位置合わせ問題の類似の補正不能部分を有する場合があることが起こる場合があるから、方式２が方式１よりも良好であることは明らかである。方式３は、共通の重ね合わせ目標を満たすために両方のフォトリソグラフィマスク上で補正が実施されることから更に有効である。
【０２２９】
この節では、一般的な原理を示すために、ただ１つの単純な重ね合わせ問題への本発明の方法の適用を呈示している。当業者は、本発明の方法が解説した例に限定されないことを認めるであろう。それとは逆に、呈示する例は、この種のフォトリソグラフィマスク問題の解決への本発明の原理の適用性を明らかにすることのみを意図している。
【０２３０】
６．理論的背景
以下では、前節に提供した本発明の方法の異なる態様の解説の根底にある理論的背景の一部を概説する。
【０２３１】
フォトリソグラフィマスクの位置合わせ誤差を補正するために、異なる種類のピクセルが使用される。異なる種類のピクセルの適用は、ある一定の種類のピクセルを書き込むことにより、フォトリソグラフィマスクの基板上の光透過率分布の減衰又は変動とパターン要素のシフトとの間の関係を調節することを可能にする。例えば、光透過率分布の同じ減衰又は変動を導入するが、第１の基板面上でパターン要素の異なるシフトを有するか又は異なる位置合わせ変化を有することにより、マスクの基板内に異なる種類のピクセルを導入することができ、又は簡単に表現すると異なる種類のピクセルを書き込むことができる。
【０２３２】
一般的に、前節で既に概説したように、ピクセルは、フォトリソグラフィマスクの基板材料、通常は溶融シリカ内に基板材料の密度を局所的に変化させることによって応力を導入する。パルス持続時間、パルスエネルギ、及び／又は繰返し数のようなフェムト秒レーザ源のレーザビームのいくつかのパラメータを変化させることにより、膨張ピクセル及び収縮ピクセルを基板内に導入することができ、又は基板内に書き込むことができる。膨張ピクセルを書き込むことにより、基板材料の密度は低減され、それに対して収縮ピクセルを書き込むことにより、基板材料の密度は増大する。
【０２３３】
異なる物理的条件を用いたフォトリソグラフィマスクの基板内へのピクセルの書込として異なる書込モードが定義され、異なる特性及び／又は異なる形状を有する異なる種類のピクセルが生じる。異なる書き込モードは、以下のパラメータのうちの１つ又はそれよりも多くを変化させることによって実施することができる。
（ａ）レーザビームパルス電力：レーザ源の光ビームのパルス電力は、ピクセルのサイズを変化させる。レーザパルスエネルギを低減することによって小さいピクセルが生じる。小さいピクセルの影響は、ピクセル密度を高めることによって補償することができる。ピクセル密度を変化させずにピクセルサイズを縮小することにより、フォトリソグラフィマスクの基板上でのパターン要素の小さいシフトがもたらされる。実際には、最小パルスエネルギは、フォトリソグラフィマスクの基板材料の破壊閾値によって制限される。パルス持続時間、光ビームのＮＡ（開口数）、及び／又はビーム発散、並びに１つの位置に入射するパルス数を変化させることにより、基板材料の破壊閾値を制御することができ、従って、フェムト秒レーザ系の光パルスのパルスエネルギを低減することができる。
（ｂ）レーザビームピクセル密度：フォトリソグラフィマスクの基板面と平行な異なる方向への異なる線形ピクセル密度の書込は、マスク基板の非対称膨張を生成することができる。これは、マスク面と平行な異なる２つの直角の方向、例えば、ｘ方向及びｙ方向に異なる線形ピクセル密度を有するピクセルが書き込まれることを意味する。この影響は、マスク基板上のパターン要素のシフトを制御するための又は位置合わせ制御のための有利なツールを提供する。
（ｃ）レーザビーム均一密度：ピクセルは、レーザビームを用いて書き込むことができ、隣接するピクセルの間の距離は、個々のピクセルのサイズよりもかなり小さい。従って、擬似連続構造がマスク基板内に書き込まれる。この種のピクセルでは、好ましくは、非常に低いレーザパルス電力が使用される。そのような種類のピクセルを使用する利点は、これらのピクセルは、いかなる位置合わせ変化ももたらさないが、フォトリソグラフィマスクの基板の光透過率のみを変化させる点である。可視スペクトル範囲にいかなる可視ピクセルも持たないこの構造は、材料のバルク内で異なる物理特性を有する層により類似する。この層が十分に均一である場合には、この層はＵＶ又はＤＵＶビーム特性に小さい影響しか与えず、いかなる散乱も発生せず、層は、いかなる人工的な周期性も導入せず、従って、いかなる回折効果も生成しない。レーザビームをそのようなレーザビームパラメータを有するフォトリソグラフィマスク上に向けることをピクセルなし書込と呼ぶ。
【０２３４】
位置合わせ誤差を確実に補正するためには、フォトリソグラフィマスクの基板に対する異なるパラメータを有するフェムト秒光パルスの影響を把握すべきである。この目的のために、異なるパラメータ又は書込モードを有するフェムト秒光パルスとレーザビームのピクセル密度とをフォトリソグラフィマスクの基板全体に対して判断すべきである。更に別の計算を実施するために、マスク基板面が任意の要素に分割される。１つの要素又は１つの基本区域内には、単一書込モード及び単一密度を有するピクセルが書き込まれる。
【０２３５】
順問題の解は、レーザビームの作用から生じる変形を計算することになり、すなわち、位置合わせ変化を書込モード及びピクセル密度の関数又はレーザビームパラメータの関数として計算することになる。適用される位置合わせ補正を判断するためには、逆問題を解かなければならない。これは、それが、書込モードのマップ及び書込密度、又は位置合わせの望ましい変化及び／又は光透過率分布の又はマスク基板の減衰率の望ましい変動を与えるレーザビームパラメータを計算する問題であることを意味する。
【０２３６】
通常、フォトリソグラフィマスクの基板は、石英のような非常に硬質の材料で作られる（同じく第２節を参照されたい）。位置合わせ誤差及び／又は光透過誤差の補正に必要な変形は振幅が非常に小さく、基板材料の弾性限界を上回らない。以下の方式では、静的方程式、幾何学方程式、及び物理方程式という３つの異なる方程式群が重要である。静的方程式では、例えば、静的なニュートンの法則等における面力の状態平衡、バルク力、及び応力が、マスクのあらゆる基本要素において作用する。幾何学方程式であるコーシーの式を利用することによって変位場から歪みテンソルを導出することができる。あらゆる歪み場を変位場から生成することができるわけではないので、適合条件を考慮すべきである。熱平衡及び断熱近似において、一般化フックの法則（物理方程式）は、弾性体に対して歪みテンソルと応力テンソルの間に線形接続が存在することを説明している。
【０２３７】
一般性を失うことなく、フォトリソグラフィマスク本体の完全な基板は、矩形区域又は基本区域の系として表すことができ、この場合、あらゆる基本区域は、一定の書込モード及び均一なピクセル密度を有する。全ての要素又は基本区域は、ヤング率、ポアソン比のようなマスク基板の新しい又は修正された物理パラメータを有する新しい又は修正された平衡形状によって特徴付けることができる。生じる変化は、書込負荷、すなわち、マスク基板の物理パラメータに良好な近似で比例する。
【０２３８】
得られる変位場をレーザビームパラメータの関数又は書込モード及びピクセル密度の関数として計算するために（すなわち、順問題）、以下の２つの方式の一方を使用することができると考えられる（オイラーのもののような一部の更に別の方式が存在する）。
１．基本区域の境界において作用する全ての内部力／応力を均等化する歪み場の計算、又は、
２．フォトリソグラフィマスクの基板全体に対してポテンシャルエネルギの最小値を求めることによる歪み場の計算。
【０２３９】
両方の方式は、所定の書込モード分布において変位の書込振幅への線形依存性を与える。両方の方式は、書込モード及び書込密度又はピクセル密度の情報に基づくレーザビームによって生じる変位の計算を可能にする。
【０２４０】
逆問題は、一般的な場合において定式化することができる。目標変位場をもたらす書込モードにおけるマップ及びピクセル密度を求めなければならない。一般的に、書込モードは、レーザビームの離散パラメータセットであり、問題は、最適化問題として定式化すべきである。望ましい変位場において最小値（又は上限）を有する目的汎関数を設定すべきである。最適化された書込マップ及びピクセル密度マップ又は最適化されたレーザビームパラメータは、目的汎関数を最小にする変位場を生成する。
【０２４１】
逆問題を解く、すなわち、位置合わせ及び／又は減衰率（又は光透過率変化）の望ましい変化を与える書込モード及び書込密度又はピクセル密度のマップを計算する可能な手法は以下の通りである。
１．ＭＬＳ方式（移動最小二乗法）を用いて書込密度の最適化を実施することができるが、小さい基本区域の場合は、離散書込モードマップの完全な列挙は非常に困難である場合がある。
２．１つの基本区域が異なる書き込モードの重ね合わせを有することができるという仮定の下に、モードマップの離散パラメータは、連続的なアナログに変換することができる。基本区域の全ての物理特性変化及び形状特性変化が、対応する書込モードの寄与に比例する場合には、目的汎関数は、残留欠陥の二乗である。この場合、変分形式は、線形問題をもたらすことになる。
【０２４２】
以下では、第２の方式が使用されることになる。殆どの場合、マスク曲げ現象及び基板厚みの修正を無視することができる時には、３次元（３Ｄ）問題を２次元のもの（２Ｄ）として定式化し直すことができる。あらゆる矩形要素又はあらゆる矩形基本区域は、フォトリソグラフィマスクの基板の矩形の平行六面体を表すことになる。
【０２４３】
線形弾性を有するマスク基板に対する一般化フックの法則は、次式として２Ｄ形式で示すことができる。
0005883249.tif 000097
ここで、２Ｄ微小歪みテンソルε（ｘ，ｙ）は、成分εij（ｘ，ｙ）を有し、応力テンソルσ（ｘ，ｙ）は、成分σij（ｘ，ｙ）を有する。
【０２４４】
２Ｄ近似では、マスク基板面に対して接線及び法線方向にマスク基板面上に作用するいかなる外力も存在しないと仮定する。この仮定の結果として次式が続く。
0005883249.tif 000098
等方性弾性を有するマスク基板の場合には、歪みテンソルのせん断成分εzx、εxz、εzy、εyzは、同様にゼロでなければならない。成分εzzの値は、σzz＝０（式２を参照されたい）という仮定に起因して変形エネルギに寄与しないので、無視することができる。
【０２４５】
式を簡素化するために、歪みテンソルに対してε0＝εxx、ε1＝εyy、ε2＝２*εxyを定めることによって工学表記を使用することにし、それによって歪みテンソルεijが、成分ε0、ε1、ε2を有する歪みベクトルεiに簡略化される。この手順を応力テンソルσ（ｘ，ｙ）に当て嵌めると、すなわち、σ0＝σxx、σ1＝σyy、σ2＝σxyを導入すると、歪みテンソルσijは、ここでもまた、成分σ0、σ1、σ2を有する歪みベクトルへσiと簡略化される。（変換の観点からは、εi及びσiはベクトルではない。）所定の表記を使用すると、方程式（１）におけるフックの法則は、次式の形式に書き直すことができる。
0005883249.tif 000099
すなわち、４次の弾性テンソル：
0005883249.tif 000100
は、２次のテンソル：
0005883249.tif 000101
に簡略化される。
【０２４６】
フォトリソグラフィマスクの石英基板のような等方性材料では、弾性テンソルは、２つの独立した成分Ｅ及びμしか持たず、次式の形式のものである。
0005883249.tif 000102
ここで、ヤング率は、Ｅ（ｘ，ｙ）と表記され、ポアソン比は、μ（ｘ，ｙ）と表記される。
【０２４７】
フォトリソグラフィマスクの基板内の変位場は、入射レーザビームに対して垂直な平面内のベクトル関数：
0005883249.tif 000103
として示すことができる。一般的な場合には、微小歪みテンソル場σij及び２Ｄ近似での微小歪みベクトル場σiは、コーシーの式を用いて変位場ｕi（ｉ＝１，２）から導出することができる。この場合、微小歪みベクトル場は、次式の形式を有する。
0005883249.tif 000104
ここで、行列演算子Ａは、次式の偏微分要素から構成される。
0005883249.tif 000105
【０２４８】
変形又は変形密度Ｐ（ｘ，ｙ，ｚ）の分布の全体ポテンシャルエネルギＰは、次式の積分からもたらされる。
0005883249.tif 000106
２Ｄ近似では、変形の分布はｚに依存しない。この場合、歪みベクトルεiによって生じる応力ベクトルσiから生じる２Ｄポテンシャルエネルギ密度は、歪みベクトルから生じる力が、歪みベクトルの方向と平行であるから、両方のベクトルのスカラー積の積分に比例する。従って、歪みベクトル場εi（ｘ，ｙ）から生じる応力ベクトル場σi（ｘ，ｙ）によって生じるポテンシャルエネルギ密度Ｐ（ｘ，ｙ）は、次式で与えられる。
0005883249.tif 000107
式（３）の形式にあるフックの法則を用いて歪みベクトル場σi（ｘ，ｙ）で置換し、式（５）の変位場によって歪みベクトル場εi（ｘ，ｙ）を置き換えることにより、２Ｄにおけるポテンシャルエネルギ分布又はポテンシャルエネルギ密度は次式の形式を有する。
0005883249.tif 000108
ポテンシャルエネルギの最小値という基準を満たす変位場ｕ（ｘ，ｙ）を定める理想的な（しかし、唯一ではない）手法は、有限要素のような方式である。一般性を失うことなく、フォトリソグラフィマスクの基板全体を同じサイズを有するＭ*Ｍの矩形要素αのセットとして、又はＭ個の列とＭ個の行とを有する正方行列として表すことができる。
【０２４９】
以下のポテンシャルエネルギＰの計算では、マスク基板をＭ*Ｍ個の等しいサイズの小さい矩形要素に分割する。合計ポテンシャルエネルギＰは、個々の小さい矩形要素αのポテンシャルエネルギＰαの和である。
0005883249.tif 000109
矩形要素αのポテンシャルエネルギＰαは、要素αの面積Ｖαにわたって２Ｄポテンシャルエネルギ密度を積分することによって得られる。
0005883249.tif 000110
２Ｄポテンシャルエネルギ密度Ｐα（ｘ，ｙ）は、式（９）から得られる。
0005883249.tif 000111
インデックスαは、フォトリソグラフィマスクの基板を網羅する全ての矩形要素を計数する。各矩形要素αは非常に小さいので、弾性テンソルの２次テンソル場Ｈ（ｘ，ｙ）を矩形要素α内の定数テンソルＨαによって置換することができると仮定する。
【０２５０】
ここでもまた、矩形要素αが小さいという仮定を利用することにより、ベクトル場ｕ（ｘ，ｙ）をその線形近似によって置換することができる。この目的のために、コーナの数に従ってインデックス０、１、２、３を有するコーナ座標Ｎiの線形形状関数を導入する。
0005883249.tif 000112
インデックスｇは、非摂動格子位置、すなわち、フォトリソグラフィマスクの基板上への光パルスの印加、又は基板内へのモードの書込の前の位置を表す。コーナ座標の変位は、次式によって定義される。
0005883249.tif 000113
【０２５１】
以下では、あらゆる矩形要素α内で、コーナ座標（ノード）の変位の線形内挿によってベクトル場ｕ（ｘ，ｙ）を表す。
0005883249.tif 000114
この近似は、実変位場ｕ（ｘ，ｙ）の良好な連続近似を与える。要素αのポテンシャルエネルギＰαを矩形要素αのコーナ変位の関数として表すことにする。
【０２５２】
矩形要素α内の変位ベクトル場ｕ（ｘ，ｙ）によってポテンシャルエネルギＰαを表すことにより、式１２を次式で書き直すことができる。
0005883249.tif 000115
直交座標ｘ，ｙに関する形状関数Ｎの１次導関数は、次式で与えられる。
0005883249.tif 000116
この場合、Ｎ＝１／ｍ2であり、ｍは、要素又は矩形区域のサイズであり、従って、ｍ＝ＭａｓｋＳｉｚｅ／Ｍである。
【０２５３】
要素容積又は要素面積にわたって積分を実施すると、変形要素αのポテンシャルエネルギＰαを要素のコーナＮ0、Ｎ1、Ｎ2、Ｎ3の変位値ｕαiの二乗形式として表すことができる。
0005883249.tif 000117
近似として、ピクセルによって占有される容積は無視することができると考えられ、ピクセルは、フォトリソグラフィマスクの基板の２Ｄ剛性に有意な影響を与えないと考えられる。これは、ポテンシャルエネルギ密度：
0005883249.tif 000118
が、レーザビームパラメータの関数として要素α内で基本的に変化しないか、又はレーザビーム書込の方式及び量に依存しないことを意味する。従って、式１８は次式に変化する。
0005883249.tif 000119
これは、ここで解説する簡素化方式の重要な説明である。
【０２５４】
次に、あらゆる矩形要素αが、単独で、レーザビームがフォトリソグラフィマスクのこの部分の上に向けられた後に新しい平衡状態を有すると仮定する。コーナＮ0、Ｎ1、Ｎ2、Ｎ3の新しい平衡座標を
0005883249.tif 000120
と呼ぶ。レーザビームによって生じる変形に起因する非変形状態から新しい平衡位置へのポテンシャルエネルギ変化は、逆変化とは反対であることは明らかである。あらゆる要素αが、レーザビームをフォトリソグラフィマスクのこの部分の上に向けた後にポテンシャルエネルギに関する表現において新しい平衡形状を有するので、新しい平衡状態から始まる変位を考慮すべきである。式１９は、実際にはフォトリソグラフィマスクの基板内の変形が平面場：
0005883249.tif 000121
から始まるという仮定を用いて導出したものである。あらゆる矩形要素αの平衡位置からの変形に関してポテンシャルエネルギを定めると、式１９を次式に変換することができる。
0005883249.tif 000122
ここで、ラグランジュの変分原理をフォトリソグラフィマスクの基板のポテンシャルエネルギに適用することにする。ラグランジュの変分原理は、物体の平衡位置が、ポテンシャルエネルギの最小値を有し、あらゆる変位のあらゆる部分変化はゼロに等しいと説明している。本事例では、これは、ノードの全ての座標に対して、以下の１次方程式をもたらす。
0005883249.tif 000123
この場合、（Ｍ＋１）×（Ｍ＋１）個のノードを有するＭ×Ｍ個のセルに対してｉ＝（１．．．２（Ｍ＋１）2であり、あらゆるノードは２つの座標を有する。式１３から１５に定義されているように、座標：
0005883249.tif 000124
を有するあらゆる内部ノードは、全ての隣接ノードに関する成分内に４回現れる。全ての内部ノードを行で左から右に、下から上に計数し、全てのノードの全ての座標を次式の手法で計数する。
0005883249.tif 000125
式（１７）内の全ての導関数の全和を取り、式（２２）の定義を適切な符号と共に使用することにより、式（２１）は次式に変換される。
0005883249.tif 000126
【０２５５】
式２３は、前節で解説した本発明の原理の全ての異なる態様の説明に対する開始点である。フォトリソグラフィマスクの基板全体のポテンシャルエネルギ対回転及び平行移動の不変性に起因して、行列：
0005883249.tif 000127
の行列式はゼロであることに注意することは重要である。この条件は、フォトリソグラフィマスクの得られる平行移動及び回転に関する条件を追加することによって常に自動的に満たされる。これは、正規化行列：
0005883249.tif 000128
の逆行列（２次のテンソル）：
0005883249.tif 000129
を計算することが常に可能であることを意味する。従って、矩形要素αの既知の平衡変形に関する式２３を使用することにより、マスク基板の一部分の上にレーザビームを局所的に向けることから生じる変形の計算が可能になる。
0005883249.tif 000130
【０２５６】
得られる変形を原因レーザビームに関連付けるために、又はより厳密にはレーザビームのレーザビームパラメータ又は書込モードに関連付けるために、得られる変形を書込モードにおける正確な用語で表現する。矩形要素α内の均一な書込の場合には、その平衡変形は、書込ピクセルの量又は数、又は光学強度の生じた減衰率に比例すると仮定する。要素αの書込密度をａαで表し、単位書込密度当たりのコーナ座標変化を
0005883249.tif 000131
で表す。ここで、上述の書込モードにおいて、すなわち、あらゆる要素αに対して同じレーザビームパラメータを用い、書込密度又は偏微分のみを変化させる書込モードにおいて、式２４を次式の形式に書き直すことができると仮定する。
0005883249.tif 000132
【０２５７】
ｋにわたって全和を実施し、
0005883249.tif 000133
と表すことにより、式２５は、次式の形式のものになる。
0005883249.tif 000134
この式は、内部ノードにおける変形ξiが、あらゆる矩形要素αの書込振幅ａαの線形結合であることを説明している。
【０２５８】
式２６は、レーザビームの書込が、固定モードで又は固定のレーザビームパラメータセットを用いて実施されることを仮定している。書込モードの変形特性を単位書込当たりの平衡変形変位ｅkで符号化する。実際には、要素の２つの仮想変位は固定され、回転も、ポテンシャルエネルギに寄与しないので、上述の８つの変位成分は、５つの独立した成分のみの関数である。これらの５つの独立成分を用いて、単位ベクトルの直交セットを構成することができる。
0005883249.tif 000135
ここで、
0005883249.tif 000136
は、基底ｅjを基底ｎiに変換する行列である。
0005883249.tif 000137
この単位ベクトルセットへの投影を書込モードの表現、すなわち、レーザビームパラメータセットとして使用することにする。以下では、書込モードを書込ツール署名で表すこととし、ＴＳ又はツール署名と略記する。ＴＳは、選択された書込方式又は所定の物理特性及び幾何特性セットを有するレーザビームパラメータセットにおける書込ツール又はレーザ系の特性を表す。式２７及び２８の表記を用いて、式２６を次式に書き直すことができる。
0005883249.tif 000138
ここで、
0005883249.tif 000139
は、法線方向の変形要素であり、
0005883249.tif 000140
は、コーナ要素の変位である。
【０２５９】
いくつかのパラメータセットを有するレーザビームの繰返し印加によって生じる変形の線形結合という仮定を使用することにより、又は複数の書込工程における異なる書込モードを使用することにより、得られる変形を次式として定めることができる。
0005883249.tif 000141
ここで、ｍは、全ての異なる書込モードＲを考慮する。
【０２６０】
既に上述のように、変形は、書込密度振幅：
0005883249.tif 000142
及び法線方向の変形要素：
0005883249.tif 000143
の空間内で作動し、生じたノード変位ξiの空間内に非ゼロ値を有する線形演算子によって表すことができる。式２７及び２８を使用することにより、式２９は次式の形式を有する。
0005883249.tif 000144
ここで、矩形格子ノードの変位ξiは、対ｘ，ｙで左から右及び下から上に計数され、
0005883249.tif 000145
は、モードｍにおける矩形要素α内の書込密度の振幅であり、
0005883249.tif 000146
は、モードｍにおけるツール署名（又はモード署名）である。
【０２６１】
ここで、初期位置合わせ問題φjが位置セットＸj，Ｙj、ｊ＝１，．．．，Ｌとして定義されると仮定する。位置合わせ問題φjは、フォトリソグラフィマスクの基板上にレーザビームを局所的に向けることによって補正する必要がある。上記に解説した近似では、変形は、全ての初期位置合わせ問題に加算的である。しかし、変位は、ノードξiにおいてしか把握されない。矩形要素αの内側の変形は線形挙動を示すという仮定を使用すると、ノードにおける変位ξiのマグニチュードを望ましい位置におけるマグニチュードζiに変換する行列を生成することができる。この変換は、式１３及び１４を使用することによって実行することができる。
0005883249.tif 000147
ここで、ζiは、位置Ｘi，Ｙiにおける線形内挿又は計算変位ξiの線形結合の結果である。行列Ｍijは、Ｌ×２*（Ｍ＋１）*（Ｍ＋１）という次元を有する。既に解説したように、どの位置も要素αの４つのコーナだけを用いて内挿されるので、実際には、この行列は、８つの対角要素のみを有する。
【０２６２】
従って、フォトリソグラフィマスクの基板上の選択された位置ｉにおいて得られる位置合わせは次式になる。
0005883249.tif 000148
フォトリソグラフィマスクがウェーハ上のフォトレジストを照明する前に、スキャナ又はステッパは、マスク上のパターン要素の変位誤差又は光学照明系によって誘起された結像誤差を補正するために、線形結像変換を実施することができる。今日、線形結像変換は、ほぼあらゆるスキャナに実施されている。線形結像変換は、６つのパラメータによって表すことができる。２つのパラメータｍx、ｍyは、像のシフトに対処し、２つのパラメータｓx、ｓyは、像のスケーリングを表し、２つの更に別のパラメータｒx、ｒyは、一般化された回転を表す。線形結像変換のこれらの６つのパラメータを用いて、像ｘ，ｙのあらゆる点は、次式に従って変換される。
0005883249.tif 000149
一般的に、スケーリング及び回転のパラメータは、１ｐｐｍ（百万分率）を上回らない非常に小さいマグニチュードしか持たず、従って、ζ*ｓ及びζ*ｒのような高次の成分を無視することができる。これは、純粋な設計位置を用いて全ての像変換を実施することができることを意味する。
【０２６３】
線形結像変換は、次式の行列形式で表すことができる。
0005883249.tif 000150
ここで、ｓkは、以下の全てのスキャナ像変換係数のベクトルである。
0005883249.tif 000151
一部の高度なスキャナは、より一層複雑な非線形結像変換を提供することができるが、結像変換は、それでも式３６による幅広い変換パラメータセットを有する式３５という形式で表すことができる。
【０２６４】
所定の位置合わせ問題φを解くために、目的汎関数Φを最小にする矩形要素α内の書込モードｍの振幅：
0005883249.tif 000152
及びスキャナ変換係数ｓkを特定すべきであり、すなわち、次式を解かなければならない。
0005883249.tif 000153
位置合わせ問題φiを最小にするために、目的汎関数Φを最小にするように、変位ζi及び線形変換パラメータｓkという両方のパラメータを同時に変化させる。これは、解説する方式に関する重要な説明である。式３７は、位置合わせ誤差を最小にするために、フォトリソグラフィマスクの基板内に一部の変形（変位ζiで表される）を生成することが有利である場合があることも示している。従って、式３７の解による変位：
0005883249.tif 000154
を導入し、式３７の解による線形結像変換：
0005883249.tif 000155
を実施することにより、フォトリソグラフィマスクの可能な最良の性能がもたらされる。
【０２６５】
計算の観点からは、目的汎関数を残留変位の二乗平均として選択することが好ましく、それによって式３７は次式に変換される。
0005883249.tif 000156
結果が物理的に妥当性のある解を定めることになるように、ティホノフの正則化を目的汎関数に追加した。正則化係数λは、解に有意な変化を導入しないように、十分に小さいものを選択すべきである。式３８の問題は解析的な解を有する場合があるが、書込密度の全ての振幅：
0005883249.tif 000157
が全てのモードｍにおいて正であるという拘束条件が存在する。書込モードの振幅（ａthres）mが、フォトリソグラフィマスクの基板の何らかの書込モード特定の損傷閾値を超えることができないという点で、更に別の制約条件が存在し、次式の書込モード特定の関係がもたらされる。
0005883249.tif 000158
【符号の説明】
【０２６６】
１００  透過フォトリソグラフィマスク
１１０  基板
１２０  パターン要素
１３０  基板の第１の面又は前面
１４０  基板の第２の面又は後面
【図１】
0005883249.tif 000159
【図２ａ】
0005883249.tif 000160
【図２ｂ】
0005883249.tif 000161
【図３】
0005883249.tif 000162
【図８】
0005883249.tif 000163
【図９】
0005883249.tif 000164
【図１０】
0005883249.tif 000165
【図１６】
0005883249.tif 000166
【図１８ａ】
0005883249.tif 000167
【図１８ｂ】
0005883249.tif 000168
【図４】
0005883249.tif 000169
【図５】
0005883249.tif 000170
【図６】
0005883249.tif 000171
【図７】
0005883249.tif 000172
【図１１ａ】
0005883249.tif 000173
【図１１ｂ】
0005883249.tif 000174
【図１２】
0005883249.tif 000175
【図１３】
0005883249.tif 000176
【図１４】
0005883249.tif 000177
【図１５】
0005883249.tif 000178
【図１７】
0005883249.tif 000179
【図１９ａ】
0005883249.tif 000180
【図１９ｂ】
0005883249.tif 000181
【図２０】
0005883249.tif 000182
【図２１ａ】
0005883249.tif 000183
【図２１ｂ】
0005883249.tif 000184
【図２１ｃ】
0005883249.tif 000185
【図２２ａ】
0005883249.tif 000186
【図２２ｂ】
0005883249.tif 000187
【図２３】
0005883249.tif 000188
【図２４】
0005883249.tif 000189
【図２５ａ】
0005883249.tif 000190
【図２５ｂ】
0005883249.tif 000191
【図２６】
0005883249.tif 000192
【図２７ａ】
0005883249.tif 000193
【図２７ｂ】
0005883249.tif 000194
【図２８ａ】
0005883249.tif 000195
【図２８ｂ】
0005883249.tif 000196
【図２８ｃ】
0005883249.tif 000197
【図２９】
0005883249.tif 000198
【図３０】
0005883249.tif 000199
【図３１ａ】
0005883249.tif 000200
【図３１ｂ】
0005883249.tif 000201
【図３２ａ】
0005883249.tif 000202
【図３２ｂ】
0005883249.tif 000203
【図３３ａ】
0005883249.tif 000204
【図３３ｂ】
0005883249.tif 000205
【図３４ａ】
0005883249.tif 000206
【図３４ｂ】
0005883249.tif 000207
【図３５ａ】
0005883249.tif 000208
【図３５ｂ】
0005883249.tif 000209
【図３６ａ】
0005883249.tif 000210
【図３６ｂ】
0005883249.tif 000211
【図３７ａ】
0005883249.tif 000212
【図３７ｂ】
0005883249.tif 000213
【図３７ｃ】
0005883249.tif 000214
【図３８ａ】
0005883249.tif 000215
【図３８ｂ】
0005883249.tif 000216
【図３８ｃ】
0005883249.tif 000217
【図３９ａ】
0005883249.tif 000218
【図３９ｂ】
0005883249.tif 000219
【図３９ｃ】
0005883249.tif 000220
【図４０ａ】
0005883249.tif 000221
【図４０ｂ】
0005883249.tif 000222
【図４０ｃ】
0005883249.tif 000223
【図４１ａ】
0005883249.tif 000224
【図４１ｂ】
0005883249.tif 000225
【図４２ａ】
0005883249.tif 000226
【図４２ｂ】
0005883249.tif 000227
【図４２ｃ】
0005883249.tif 000228
【図４３ａ】
0005883249.tif 000229
【図４３ｂ】
0005883249.tif 000230
【図４３ｃ】
0005883249.tif 000231
【図４４ａ】
0005883249.tif 000232
【図４４ｂ】
0005883249.tif 000233
【図４５ａ】
0005883249.tif 000234
【図４５ｂ】
0005883249.tif 000235
【図４６ａ】
0005883249.tif 000236
【図４６ｂ】
0005883249.tif 000237
【図４７ａ】
0005883249.tif 000238
【図４７ｂ】
0005883249.tif 000239
【図４８ａ】
0005883249.tif 000240
【図４８ｂ】
0005883249.tif 000241
【図４９ａ】
0005883249.tif 000242
【図４９ｂ】
0005883249.tif 000243
【図５０ａ】
0005883249.tif 000244
【図５０ｂ】
0005883249.tif 000245
【図５１ａ】
0005883249.tif 000246
【図５１ｂ】
0005883249.tif 000247
【図５２ａ】
0005883249.tif 000248
【図５２ｂ】
0005883249.tif 000249
【図５３ａ】
0005883249.tif 000250
【図５３ｂ】
0005883249.tif 000251
【図５４ａ】
0005883249.tif 000252
【図５４ｂ】
0005883249.tif 000253
【図５５ａ】
0005883249.tif 000254
【図５５ｂ】
0005883249.tif 000255
【図５６】
0005883249.tif 000256
【図５７ａ】
0005883249.tif 000257
【図５７ｂ】
0005883249.tif 000258
【図５８】
0005883249.tif 000259
【図５９】
0005883249.tif 000260
【図６０】
0005883249.tif 000261
【図６１ａ】
0005883249.tif 000262
【図６１ｂ】
0005883249.tif 000263
【図６２】
0005883249.tif 000264